(57)【特許請求の範囲】
【請求項１】
眼強調コンタクトレンズであって、
透明なベース材料と、
前記透明なベース材料の少なくとも一部分上に置かれた第１のデザイングラフィックと、
前記第１のデザイングラフィックの少なくとも一部分上、及び前記透明なベース材料の少なくとも一部分上に置かれた第２のデザイングラフィックと、
前記第２のデザイングラフィックの少なくとも一部分上、前記第１のデザイングラフィックの少なくとも一部分上、及び前記透明なベース材料の少なくとも一部分上に置かれた第３のデザイングラフィックと、
バルクレンズ材料と、を含み、
前記第１、第２、及び第３のデザイングラフィックが、前記バルクレンズ材料及び前記透明なベース材料間に位置しており、
前記第１、第２、及び第３のデザイングラフィックの各々は、半透明であり、
前記第１、第２、及び第３のデザイングラフィックの内の１つのみが存在する第１領域、前記第１、第２、及び第３のデザイングラフィックの内の２つが重複する第２領域、前記第１、第２、及び第３のデザイングラフィックの全てが重複する第３領域を有し、
前記第１領域は、前記第１のデザイングラフィックの外周近傍において、前記第１のデザイングラフィックが存在し、前記第２のデザイングラフィックおよび前記第３のデザイングラフィックが存在しない領域であり、
前記第２のデザイングラフィックの外周形状は、波様リング構造であり、
前記第３のデザイングラフィックの外周形状は、くし様構造であり、
前記第２のデザイングラフィックおよび前記第３のデザイングラフィックは、前記第１のデザイングラフィックにおける、内方に延びる複数の突出構造間を充填し、充填された領域が、前記第２領域であり、
前記第２のデザイングラフィックの前記波様リング構造全体上には、前記第３のデザイングラフィックが存在し、前記第２のデザイングラフィックの前記波様リング構造は、前記第３のデザイングラフィックの前記くし様構造と異なる形状を有する、眼強調コンタクトレンズ。
【請求項２】
前記第１、第２、及び第３のデザイングラフィックのうちの少なくとも１つが、装用者の眼の虹彩の外径を包囲し、装用者の眼の角膜縁領域を強調するように構成されている、第１のパターンを含む、請求項１に記載の眼強調コンタクトレンズ。
【請求項３】
前記第１のパターンが、装用者の虹彩に対応する領域中へと延びる部分を含む、請求項２に記載の眼強調コンタクトレンズ。
【請求項４】
装用者の虹彩に対応する領域中へと延びる前記部分が、前記装用者の虹彩を強調するように構成されている、請求項３に記載の眼強調コンタクトレンズ。
【請求項５】
前記第１、第２、及び第３のデザイングラフィックのうちの少なくとも１つが、装用者の眼の虹彩領域を強調するように構成された第２のパターンを含む、請求項１に記載の眼強調コンタクトレンズ。
【請求項６】
前記第２のパターンが、装用者の角膜縁領域に対応する領域中へと延びる部分を含む、請求項５に記載の眼強調コンタクトレンズ。
【請求項７】
装用者の角膜縁領域に対応する領域中へと延びる前記部分が、装用者の角膜縁領域を強調するように構成されている、請求項６に記載の眼強調コンタクトレンズ。
【請求項８】
前記第１、第２、及び第３のデザイングラフィックのうちの少なくとも１つが、装用者の眼の虹彩領域を強調するように構成された第３のパターンを含む、請求項１に記載の眼強調コンタクトレンズ。
【請求項９】
前記第３のパターンが、装用者の角膜縁領域に対応する領域中へと延びる部分を含む、請求項８に記載の眼強調コンタクトレンズ。
【請求項１０】
装用者の角膜縁領域に対応する領域中へと延びる前記部分が、装用者の角膜縁領域を強調するように構成されている、請求項９に記載の眼強調コンタクトレンズ。
【請求項１１】
前記第１、第２、及び第３のデザイングラフィックは、互いに異なる色を有している、請求項１に記載の眼強調コンタクトレンズ。
【請求項１２】
前記第１、第２、及び第３のデザイングラフィックが、実質的に環状の領域を形成するように位置付けられている、請求項１１に記載の眼強調コンタクトレンズ。
【請求項１３】
眼強調コンタクトレンズであって、
光学ゾーンと、
前記光学ゾーンを包囲する、周辺ゾーンと、
透明なベース層上に置かれた第１のデザイングラフィック、前記第１のデザイングラフィックの少なくとも一部分上及び前記透明なベース層の少なくとも一部分上に置かれた第２のデザイングラフィック、並びに前記第２のデザイングラフィックの少なくとも一部分上、前記第１のデザイングラフィックの少なくとも一部分上、及び前記透明なベース層の少なくとも一部分上に置かれた第３のデザイングラフィックから形成された、実質的に環状のデザイン配置であって、前記周辺ゾーン内に位置付けられている、実質的に環状のデザイン配置と、を含み、
前記第１、第２、及び第３のデザイングラフィックが、バルクレンズ材料及び前記透明なベース層間に位置しており、
前記第１、第２、及び第３のデザイングラフィックの各々は、半透明であり、
前記第１、第２、及び第３のデザイングラフィックの内の１つのみが存在する第１領域、前記第１、第２、及び第３のデザイングラフィックの内の２つが重複する第２領域、前記第１、第２、及び第３のデザイングラフィックの全てが重複する第３領域を有し、
前記第１領域は、前記第１のデザイングラフィックの外周近傍において、前記第１のデザイングラフィックが存在し、前記第２のデザイングラフィックおよび前記第３のデザイングラフィックが存在しない領域であり、
前記第２のデザイングラフィックの外周形状は、波様リング構造であり、
前記第３のデザイングラフィックの外周形状は、くし様構造であり、
前記第２のデザイングラフィックおよび前記第３のデザイングラフィックは、前記第１のデザイングラフィックにおける、内方に延びる複数の突出構造間を充填し、充填された領域が、前記第２領域であり、
前記第２のデザイングラフィックの前記波様リング構造全体上には、前記第３のデザイングラフィックが存在し、前記第２のデザイングラフィックの前記波様リング構造は、前記第３のデザイングラフィックの前記くし様構造と異なる形状を有する、眼強調コンタクトレンズ。
【発明の詳細な説明】
【技術分野】
【０００１】
本発明は、眼科レンズに関し、より具体的には、コンタクトレンズが上に位置付けられる眼の外観を強調するための複数の効果層を組み込み、また、所与のパターン内の奥行を示唆し、明示するため、虹彩領域内で変化を作り出すため、虹彩の色を変えるため、虹彩を拡大するため、及び生来の虹彩が全体デザインの効果に寄与するのを可能にするネガティブスペースを作り出すためのデザインを含む、美容用コンタクトレンズに関する。全体デザインは、さまざまな程度に重複する半透明層の複合物である。
【関連技術の説明】
【０００２】
コンタクトレンズ（contact lenses）又はコンタクト（contacts）は、単に、眼上に設置されるレンズである。コンタクトレンズは、医療装置と見なされるものであり、視力を矯正するために、かつ／又は審美上の若しくは他の治療上の理由で装用され得る。コンタクトレンズは、１９５０年代以降、視力を改善するために商業的に利用されてきた。初期のコンタクトレンズは、硬い材料で作製又は製作されており、比較的高価で脆かった。加えて、これら初期のコンタクトレンズは、コンタクトレンズを通じて結膜及び角膜へと十分に酸素を透過させない材料から製作されており、これにより、場合によっては、臨床上の幾らかの悪影響を生じる可能性があった。こうしたコンタクトレンズは現在も利用されているが、最初の着け心地が悪いために全ての患者に適しているわけではない。当分野における最近の開発によって、ヒドロゲル系のソフトコンタクトレンズが生み出され、これは現在非常に一般的となっており、広く利用されている。今日、入手可能なシリコーンハイドロゲルのコンタクトレンズは、非常に高い酸素透過性を有するシリコーンの利点を、ハイドロゲルの実証済みの快適性及び臨床性能と組み合わせたものである。本質的に、これらのシリコーンヒドロゲルに基づくコンタクトレンズは、より高い酸素透過値を有し、一般に、初期の硬い材料で作成されたコンタクトレンズより着用が快適である。一方、硬質のガス透過性ハードコンタクトレンズは、シロキサン含有ポリマーから作製されるが、ソフトコンタクトレンズよりも硬く、したがって、それらの形状を保持し、より耐久性がある。
【０００３】
現在利用可能なコンタクトレンズは、依然として、視力矯正の費用効果の高い手段である。近視若しくは近眼、遠視若しくは遠眼、乱視、すなわち角膜の非球面性、及び老眼、すなわち、遠近調節する水晶体の能力の喪失を含む、視覚障害を矯正するために、薄いプラスチックレンズが眼の角膜にかぶせて装着される。コンタクトレンズは、さまざまな形態で入手可能であり、さまざまな材料で作製されて、異なる機能性を提供する。終日装用ソフトコンタクトレンズは、典型的には、酸素透過性を目的として水と組み合わされた軟質ポリマー材料から作製される。終日装用ソフトコンタクトレンズは、１日使い捨て型であっても、連続装用の使い捨て型であってもよい。１日使い捨て型のコンタクトレンズは通常、１日にわたって装用され、次いで捨てられるが、連続装用の使い捨て型コンタクトレンズは通常、最大で３０日の期間にわたって装用される。着色ソフトコンタクトレンズは、種々の機能性を得るために種々の材料を使用する。例えば、識別用着色コンタクトレンズは、落としたコンタクトレンズを発見する際に装用者を支援するために、明るい色合いを用いるものであり、強調着色コンタクトレンズは、装用者の生来の眼色を強調することを意図した透明又は半透明の色合いを有するものであるが、着色カラーコンタクトレンズは、装用者の眼色を変化させることを意図した、不透明な色合いを備え、光フィルタリング着色コンタクトレンズは、特定の色を強調する一方で他の色を弱めるように機能する。二重焦点及び多焦点のコンタクトレンズは、特に老眼を有する患者用に設計され、ソフトとハードの両方の種類がある。トーリックコンタクトレンズは、特に乱視の患者用に設計されるものであり、同様にソフト及びハードの両方の種類で入手可能である。上記の種々の態様を組み合わせたコンビネーションレンズ、例えばハイブリッドコンタクトレンズもまた入手可能である。
【０００４】
美容用コンタクトレンズは、装用者の虹彩に完全に又はより好ましくは部分的に重なる１つ又は２つ以上の要素からなるパターンを含んでもよい。これらのレンズはまた角膜縁リングも含み得る。角膜縁リングは、本質的には、色の環状帯であり、レンズが眼上の中心にあるときに、レンズ装用者の強膜と角膜の接合部である角膜縁領域の上に部分的に又は完全に重なる。角膜縁リングの組み込みは、虹彩をより大きく、より暗く、及び／又はより明確に見せることができる。角膜縁リング及び虹彩パターンの組み合わせは、眼上のレンズの外観をより自然にする。言い換えると、虹彩パターンは、角膜縁リングが装用者の眼と自然に溶け込むのを可能にし、虹彩パターン及び角膜縁リングの組み合わせは、溶け込み、奥行、コントラスト、及び明確性を作り出す。
【０００５】
他の美容用コンタクトレンズは、虹彩の代わりに又は虹彩に加えて強膜に焦点を当てるものである。例えば、コンタクトレンズは、不透明、半不透明、及び／又は半透明であり得る、明るい色の周辺部、すなわち虹彩領域の外側を含むことができる。その明るい部分は、角膜縁からコンタクトレンズの縁まで延びて、より明るい又はより白い強膜の印象を作り出すことができる。これらのコンタクトレンズは、上述のように、それを装用しない場合よりも虹彩を大きく、暗く、及び／又はより明確に見せることができる、角膜縁リングを含んでもよい。
【発明の概要】
【発明が解決しようとする課題】
【０００６】
上記の美容用コンタクトレンズは、実際に眼の外観を強調するが、美容用レンズの領域において、所与のパターン内の奥行を示唆し、明示するため、虹彩領域内で変化を作り出すため、虹彩の色を変えるため、虹彩を拡大するため、及び生来の虹彩が全体デザインの効果に寄与するのを可能にするネガティブスペースを作り出すためのデザインを含む、レンズの必要性が存在する。
【課題を解決するための手段】
【０００７】
本発明の多層パターンを持つコンタクトレンズは、上で簡潔に記載された問題を克服する。
【０００８】
一態様によれば、本発明は、眼強調コンタクトレンズを対象とする。この眼強調コンタクトレンズは、透明なベース材料と、該透明なベース材料の少なくとも一部分上に置かれた第１のデザイングラフィックと、該第１のデザイングラフィックの少なくとも一部分上及び透明なベース材料の少なくとも一部分上に置かれた第２のデザイングラフィックと、該第２のデザイングラフィックの少なくとも一部分上、第１のデザイングラフィックの少なくとも一部分上、並びに透明なベース材料及びバルクレンズ材料の少なくとも一部分上に置かれた第３のデザイングラフィックとを含み、第１、第２、及び第３のデザイングラフィックが、バルクレンズ材料及び透明なベース材料内に封入される。
【０００９】
別の態様によれば、本発明は、眼強調コンタクトレンズを対象とする。眼強調コンタクトレンズは、光学ゾーンと、該光学ゾーンを包囲する周辺ゾーンと、透明なベース層上に置かれた第１のデザイングラフィック、第１のデザイングラフィックの少なくとも一部分上及び透明なベース層の少なくとも一部分上に置かれた第２のデザイングラフィック、並びに第２のデザイングラフィックの少なくとも一部分上、第１のデザイングラフィックの少なくとも一部分上、及び透明なベース層の少なくとも一部分上に置かれた第３のデザイングラフィックから形成された、実質的に環状のデザイン配置と、を含み、該実質的に環状のデザイン配置が、周辺ゾーン内に位置付けられ、第１、第２、及び第３のデザイングラフィックが、バルクレンズ材料及び透明なベース層内に封入される。
【００１０】
美容用コンタクトレンズは、眼全体及び／又は眼の異なる領域の色を含むあらゆるやり方で、それらが着用された眼の外観を変えるように設計され得る。要件ではないが、美容用コンタクトレンズはまた、屈折異常を補正するために使用してもよい。美容用コンタクトレンズはまた、直接的な医療用途も有することができる。例えば、美容用コンタクトレンズを使用して、損傷のある眼の外観を修復することができる。美容用コンタクトレンズは、透明、半透明、不透明色の強調又は色合いを含み得る。色合いは、有機／無機顔料、染料、又は特殊効果顔料を含み得る。コンタクトレンズ上の印刷された領域は、虹彩領域（虹彩パターン）、角膜縁領域（角膜縁リング）、強膜領域（強膜を明るくする）、又はそれらの任意の組み合わせを含み得る。加えて、パターンは、連続、断続、又はそれらの任意の組み合わせであり得る。
【００１１】
本発明の美容用コンタクトレンズは、複数の効果層を用いて固有の視覚的外観を達成する。多層デザインは、コンタクトレンズが上に位置付けられる眼の外観を、自然な見た目を維持しながら強調及び／又はハイライトするために用いられてもよい。これらの例示的なデザインはそれぞれ、３つの層、すなわち、固有の角膜縁デザイングラフィック、固有の内部効果グラフィック、及び固有の外部効果グラフィックを含む。これらの層は、任意の数のデザイン要素及びデザイン原理を用いて形成されてもよい。例えば、ラインを用いて形状を明確化し、生来の虹彩において見出されるライン構造、形状、及び輪郭に似せるか、又は模倣する輪郭を作り出すことができる。さまざまなレベルの半透明性及び不透明性を持つ色及び色調の値を用いて、溶け込み及びコントラストを作り出すことができる一方、さまざまな色及び色調を用いて、ハイライト及び陰影を形成することにより、奥行を示唆することができる。スペースを用いて組成を決定することができ、例えば、ポジティブスペースを用いて効果を明確化し、示唆することができる一方、ネガティブスペースを用いて、生来の虹彩が全体パターンの効果に寄与するのを可能にすることができる。重複する層の透視を用いて、所与のパターン内の奥行を示唆し、明示することができる。テクスチャを用いて、虹彩の変化を作り出すことができる。二次元アートで使用されるように、テクスチャは、明暗の使用によって作り出される。明暗要素並びに重複要素を用いて、奥行及び形態を示唆してもよい。
【００１２】
上述のように、本発明は、３つの別個の層を用いて、全体パターンの更なる奥行及び変化を提供する。角膜縁デザイングラフィックは、虹彩の外径を包囲する全体パターンの部分であり、強膜に最も近く、眼の角膜縁領域をハイライト、強調、及び／又は明確化することを意図されるが、それはまた、虹彩中へと延びる要素も含む。内部効果グラフィック層は、虹彩を強調することを意図される全体パターンの部分であるが、眼の角膜縁領域をハイライト、強調、及び／又は明確化することにも寄与する部分を含んでもよい。外部効果グラフィック層は、虹彩を強調することを意図される全体パターンの部分であるが、眼の角膜縁領域をハイライト、強調、及び／又は明確化することにも寄与する部分を含んでもよい。本発明の多層アプローチを用いて、重複する及び重複しない半透明層を用いてさまざまなレベルの半透明性及び／又は不透明性を作り出すことができる。
【００１３】
本発明の美容用コンタクトレンズは、装用者の眼の視覚的外観を強調するための費用効果の高い手段を提供する一方、非美容用コンタクトレンズの光学品質及び着け心地を提供する。
【図面の簡単な説明】
【００１４】
本発明の上記の及び他の特徴及び利点は、添付の図面に図示されるように、以下のより具体的な本発明の好ましい実施形態の記載から明らかとなるであろう。
【図１】例示的な非美容用コンタクトレンズの平面図である。
【図２】第１の例示的な美容用コンタクトレンズの平面図である。
【図３】第２の例示的な美容用コンタクトレンズの平面図である。
【図４】第３の例示的な美容用コンタクトレンズの平面図である。
【図５】第４の例示的な美容用コンタクトレンズの平面図である。
【図６】第１の例示的な角膜縁リング／スポークパターン美容用コンタクトレンズの平面図である。
【図７】第２の例示的な角膜縁リング／スポークパターン美容用コンタクトレンズの平面図である。
【図８】第３の例示的な角膜縁リング／スポークパターン美容用コンタクトレンズの平面図である。
【図９】第４の例示的な角膜縁リング／スポークパターン美容用コンタクトレンズの平面図である。
【図１０】第５の例示的な角膜縁リング／スポークパターン美容用コンタクトレンズの平面図である。
【図１１】第６の例示的な角膜縁リング／スポークパターン美容用コンタクトレンズの平面図である。
【図１２】第７の例示的な角膜縁リング／スポークパターン美容用コンタクトレンズの平面図である。
【図１３】第８の例示的な角膜縁リング／スポークパターン美容用コンタクトレンズの平面図である。
【図１４Ａ】本発明による第１の例示的な角膜縁デザイングラフィックの平面図である。
【図１４Ｂ】本発明による第１の例示的な内部効果デザイングラフィックの平面図である。
【図１４Ｃ】本発明による第１の例示的な外部効果デザイングラフィックの平面図である。
【図１４Ｄ】本発明による図１４Ａ、Ｂ、及びＣの３つのデザイングラフィックを含む、第１の例示的な美容用コンタクトレンズの平面図である。
【図１５Ａ】本発明による第２の例示的な角膜縁デザイングラフィックの平面図である。
【図１５Ｂ】本発明による第２の例示的な内部効果デザイングラフィックの平面図である。
【図１５Ｃ】本発明による第２の例示的な外部効果デザイングラフィックの平面図である。
【図１５Ｄ】本発明による図１５Ａ、Ｂ、及びＣの３つのデザイングラフィックを含む、第２の例示的な美容用コンタクトレンズの平面図である。
【図１６Ａ】本発明による第３の例示的な角膜縁デザイングラフィックの平面図である。
【図１６Ｂ】本発明による第３の例示的な外部効果デザイングラフィックの平面図である。
【図１６Ｃ】本発明による第３の例示的な内部効果デザイングラフィックの平面図である。
【図１６Ｄ】本発明による図１６Ａ、Ｂ、及びＣの３つのデザイングラフィックを含む、第３の例示的な美容用コンタクトレンズの平面図である。
【図１７Ａ】本発明による第４の例示的な角膜縁デザイングラフィックの平面図である。
【図１７Ｂ】本発明による第４の例示的な外部効果デザイングラフィックの平面図である。
【図１７Ｃ】本発明による第４の例示的な内部効果デザイングラフィックの平面図である。
【図１７Ｄ】本発明による図１７Ａ、Ｂ、及びＣの３つのデザイングラフィックを含む、第４の例示的な美容用コンタクトレンズの平面図である。
【図１８Ａ】本発明による第５の例示的な角膜縁デザイングラフィックの平面図である。
【図１８Ｂ】本発明による第５の例示的な内部効果デザイングラフィックの平面図である。
【図１８Ｃ】本発明による第５の例示的な外部効果デザイングラフィックの平面図である。
【図１８Ｄ】本発明による図１４Ａ、Ｂ、及びＣの３つのデザイングラフィックを含む、第５の例示的な美容用コンタクトレンズの平面図である。
【図１９】概略的なパッド印刷プロセスの図式的表示である。
【図２０】より詳細なパッド印刷プロセスの図式的表示である。
【発明を実施するための形態】
【００１５】
コンタクトレンズ（contact lenses）又はコンタクト（contacts）は、単に、眼上に設置されるレンズである。コンタクトレンズは、医療装置と見なされるものであり、視力を矯正するために、かつ／又は審美上の若しくは他の治療上の理由で装用され得る。コンタクトレンズは、１９５０年代以降、視力を改善するために商業的に利用されてきた。初期のコンタクトレンズは、硬い材料で作製又は製作されており、比較的高価で脆かった。加えて、これら初期のコンタクトレンズは、コンタクトレンズを通じて結膜及び角膜へと十分に酸素を透過させない材料から製作されており、これにより、場合によっては、臨床上の幾らかの悪影響を生じる可能性があった。これらのコンタクトレンズは現在も利用されているが、最初の着け心地が悪いために全ての患者に適しているわけではない。当分野における最近の開発によって、ヒドロゲル系のソフトコンタクトレンズが生み出され、これは現在非常に一般的となっており、広く利用されている。今日、入手可能なシリコーンハイドロゲルのコンタクトレンズは、非常に高い酸素透過性を有するシリコーンの利点を、ハイドロゲルの実証済みの快適性及び臨床性能と組み合わせたものである。本質的に、これらのシリコーンヒドロゲルに基づくコンタクトレンズは、初期の硬質な材料から作製されたコンタクトレンズと比べて、より高度な酸素透過率を有すると共に、一般的にはより装用を快適にしている。しかしながら、これらの新しいコンタクトレンズにも、全く制約がないわけではない。
【００１６】
ここで図１を参照すると、例示の非美容用コンタクトレンズ１００の平面図が示されている。コンタクトレンズ１００は、光学ゾーン１０２、光学ゾーン１０２を包囲する周縁ゾーン１０４、装着時に個人の眼に接触するよう設計された後方湾曲面、及び後方湾曲面と反対側の前方湾曲面を含む。光学ゾーン１０２は、それを通して視力矯正が得られるコンタクトレンズ１００の部分である。言い換えると、光学ゾーン１０２は、視力矯正を提供し、単焦点の近視又は遠視の矯正、乱視の視力矯正、二焦点の視力矯正、多焦点の視力矯正、カスタム矯正等の特定のニーズ、又は視力矯正を提供し得る任意の他のデザインのために設計される。周辺ゾーン１０４は、光学ゾーン１０２を包囲し、眼上のコンタクトレンズ１００に機械的安定性を提供する。言い換えると、周辺ゾーン１０４は、セントレーション及び配向を含む眼上でのコンタクトレンズ１００の位置付け及び安定化に影響を及ぼす機械的特性を提供する。配向は、光学ゾーン１０２が乱視矯正及び／又は高次収差等の非回転対称特性を含むとき、基本となる。幾つかのコンタクトレンズ設計では、光学ゾーン１０２と周辺ゾーン１０４との間の任意の中間ゾーンが利用されてもよい。任意の中間ゾーンは、光学ゾーン１０２及び周辺ゾーン１０４が滑らかに溶け込むことを確実にする。
【００１７】
図１に示すレンズ１００は円形であるが、楕円形状又は切り詰めた円形状など、コンタクトレンズに好都合な任意の形状をなしてもよい。円形又は非変形であることに加えて、コンタクトレンズ１００は、平面又は非平面であってもよい。
【００１８】
美容用コンタクトレンズは、それが着用された眼の外観を向上する又は変えるように設計される。要件ではないが、美容用コンタクトレンズは屈折異常の補正にも利用され得る。加えて、美容用コンタクトレンズは、例えば損傷のある眼の外観を修復するためなど、直接的な医療用途もまた有し得る。無虹彩症、虹彩の欠失、瞳孔異常、虹彩の損傷、及び／又は老人環若しくは角膜老人環、角膜縁領域の色を薄くするか又は変色させる障害に罹患する個人は、完全な虹彩の外観を付与する着色されたコンタクトレンズを用いることができる。美容用コンタクトレンズは、半透明／透明色の強調、色合い、不透明色の色合い、人工虹彩パターン、縁リング、強膜を明るくする色合い、及び／又は上記の任意の組み合わせを含むことができる。
【００１９】
より具体的には、美容用コンタクトレンズを用いて、強膜を明るくする及び／又は装用者の虹彩の明確性を強調するために役立つ角膜縁リングを含むパターンを有することができ、結果としてレンズ装用者を見る人に虹彩をより大きく見せる。加えて、美容用コンタクトレンズは、装用者の虹彩を完全に、又は好ましくは部分的に重複する追加のパターン要素を有してもよい。美容用レンズは、黒い眼の個人の虹彩を強調するために用いられ得るが、明るい眼のレンズ装用者の虹彩も同様に強調するために使用することもできる。
【００２０】
図２を参照すると、第１の例示の美容用コンタクトレンズ２００が図示されている。このレンズ２００は、図１のコンタクトレンズ１００に関して上述した意味の範囲に含まれる光学ゾーン及び周辺ゾーンを含むが、美容用コンタクトレンズの種々の領域を記述するために、異なる用語が使用される。美容用コンタクトレンズ２００は、個々の瞳孔の大きさ及び場所に実質的に対応する大きさの中央領域２０２を含む。中央領域２０２は、視力を妨害しないように、通常、着色又はデザインを有さない。中央部２０４は、中央領域２０２を包囲し、個人の虹彩の大きさ及び場所に実質的に対応する大きさである。中央部２０４は、着用者の虹彩の外観を向上するために、１つ又は２つ以上の色、及び／又は、１つ又は２つ以上の色により形成されたパターンを、含むことができる。周辺部２０６は、中央部２０４の周囲に配置され、コンタクトレンズ２００の周縁まで延在する。周辺部２０６は、ポイント２０１から測定される内径と、ポイント２０３から測定される外径とを有する環状形を備えており、外径は、コンタクトレンズ２００全体の外縁と一致してもよいが、必ずしもその必要はない。周辺部２０６は、例えば、白色、ほぼ白色、オフホワイト、明るい黄色、薄青、明るい桃色、明るい緑色、又は上記の任意の組み合わせで着色することができる。明るい色は、装着者の強膜と徐々に溶け込むように配置される。
【００２１】
周辺部２０６は、強膜の外観を向上するように着色される。この周辺部２０６の着色は、不透明、半透明、又はこれらの２つの間の何かの色、若しくは半不透明でもよい。例示の実施形態は、新鮮で自然な外観を強膜に与えることにより、強膜の外観を向上する。本明細書で使用される「不透明」は、３８０〜７８０ｎｍの範囲で０〜約５０％、好ましくは７〜約５０％の平均光透過率が可能な色を意味すると理解されたい。本明細書で使用される「半透明」は、３８０〜７８０ｎｍの範囲で約５０〜約８５％、好ましくは約６５〜約８５％の平均光透過率が可能な色を意味すると理解されたい。
【００２２】
図３は、第２の例示的な美容用コンタクトレンズ３００を示す。美容用コンタクトレンズ３００は、中央領域３０２と、該中央領域３０２を包囲する中央部３０４と、該中央部３０４及び角膜縁リング３０８を包囲する周辺部３０６とを備える。本明細書に記載されるように、角膜縁リングは、本質的に、レンズが眼上の中心にあるときに、レンズ装用者の角膜縁領域を部分的に又は完全に重なる、色彩の環状帯である。幾つかの例示的な実施形態では、角膜縁リングは、ハロ効果を作り出すためにより大きくてもよい。この例示的な実施形態では、周辺部３０６における着色は、ポイント３０１から測定される内径から、ポイント３０３から測定される外径までで、不透明から半透明又は透明へと段階的にされるか、又はされてもよい。前述の例示的な実施形態と同様に、中央部３０４は、装用者の虹彩の外観を強調するために、１つ又は２つ以上の色及び／又は１つ又は２つ以上の色により形成されたパターンを含むことができる。この組み合わせは、最も自然な虹彩に暗い角膜縁リングのコントラストを提供すると同時に、周辺部３０６に明るい着色が適用されるという追加の利点を提供する。角膜縁リング３０８は、該リング３０８が、虹彩、中央部着色／パターン３０４、及び明るい色の周辺部３０６と自然に溶け込むのを可能にする任意の好適な幅又はパターンであり得る。角膜縁リング３０８は、半透明でも不透明でもよい。
【００２３】
図４は、幾何学パターンの形式で適用される、周辺部４０６に明るい着色を持つ第３の例示的な美容用コンタクトレンズ４００を示す。美容用コンタクトレンズ４００は、中央領域４０２と、該中央領域４０２を包囲する中央部４０４と、該中央部４０４及び角膜縁リング４０８を包囲する周辺部４０６とを備える。図３及び４のコンタクトレンズ間の差異は、周辺部４０６における幾何学パターンにある。この例示的な美容用レンズ４００において、幾何学パターンは、そうでなければ白色に着色されるレンズ表面から除かれた円４１０の外観を呈し、その結果、各円４１０が、生来の強膜と溶け込むために、角膜縁リング４０８に近接する接線ではその隣接する円４１０に接し、パターンの最外径では分離する。好ましい実施形態では、強膜印刷、周辺部４０６に対応する領域は、角膜縁の縁の不透明からマトリックス状のパターンになり、生来の強膜と溶け込む。この例示的な実施形態は、円４１０を幾何学形状として用いるが、任意の幾何学形状を用いてもよい点に留意することは重要である。そのような円４１０によって形成された十字形の明るく着色された構造の行と列としても考えることもできる。図示されるように、円４１２は、中央部４０４のパターン中へと延びてもよい。
【００２４】
幾何学形状を含むパターニングは、図４に関して上記のような規則的に形状化された構造から又は図５に示されるように、美容用コンタクトレンズ５００の中央部５０４及び周辺部５０６の両方にある複数のランダムドット若しくは形状５１０から形成されてもよい。中央領域５０２及び角膜縁リング５０８は、この例示的なコンタクトレンズ５００内にパターンを有しておらず、例えば、スポークも溶け込みもない。現実的な又は強調された色彩感覚を伝えるための都合のよい任意の形状は、特にそのような幾何学形状が所望の色相又は濃淡に寄与する場合に用いることができる。用いられるドットは、任意の大きさ及び形状を含んでもよい。ドットは、美容用コンタクトレンズの異なる要素の境界の溶け込みに役立つ。
【００２５】
他の例示的な実施形態によると、美容用レンズは、角膜縁リングと、複数のテーパ状スポークとを備えてもよい。上記のように、角膜縁リングは、レンズが眼上の中心にあるときに、レンズ装用者の角膜縁領域、又は角膜と強膜の接合部分に部分的に又は実質的に完全に重なる色彩の環状帯である。好ましくは、角膜縁リングは、角膜縁領域と実質的に完全に重なる。角膜縁リングの最も内側の境界又はレンズの幾何学中心に最も近い縁は、約８ｍｍ〜約１２ｍｍ、好ましくは約９〜約１１ｍｍの直径を有する円を形成してもよく、この円は、レンズの幾何学中心を中心としている。リングは、任意の適切な幅のものでもよく、好ましくは幅が約０．５〜約２．５ｍｍ、より好ましくは幅が約０．７５〜約１．２５ｍｍである。
【００２６】
角膜縁リングの最も内側の境界からレンズの幾何学中心に向かって内方に延びているのは、ホイールのスポークに類似する実質的に三角形の構造である。このようなテーパ状スポークは、レンズの虹彩部分の全体、すなわち、レンズが眼上の中心にあるときに、虹彩と重なるレンズの部分にわたって延びてもよいが、そうでないことが好ましい。より正確に言うと、好ましくは、スポークは、角膜縁リングの最も内側の縁から内方に延び、その結果、スポークパターンの最も内側の縁が、レンズの幾何学中心から約６ｍｍ以上、より好ましくは約７ｍｍ以上に位置する。スポークは、均一又はさまざまな形状及びサイズのものでもよく、長さが約１〜約２ｍｍであることが好ましい。
【００２７】
図６において、コンタクトレンズ６００上の角膜縁リング−テーパ状スポークパターンの第１の例示的な実施形態が示される。この例示的な実施形態では、角膜縁リング６０２は、幅約１ｍｍの黒い不透明な帯である。角膜縁リング６０２の最も内側の境界６０４で始まり、コンタクトレンズ６００の幾何学中心に向かって内方に延びるのは、複数のランダムに配置されたテーパ状スポーク６０６であり、その最も内側の境界６１２は、コンタクトレンズ６００の幾何学中心から測定して７ｍｍの直径を持つ円を形成する。スポーク６０６の全ては、概して同様に構成されているが、好ましくはどのスポーク６０６も別のスポーク６０６と全く同じではない。スポーク６０６は、散在するか又はスペース６０８によって境され、そのスペースの中には要素がない。スペース６０８もまた、概して全て同様に構成されているが、好ましくはスペース６０８のうちのどの１つも、スペース６０８又はスポーク６０６の他のもののいずれとも全く同じ構成ではない。領域６１０は、パターン要素がない領域であり、示される領域は、装用者の眼の虹彩部分、並びに装用者の眼の瞳孔部分の全体、又はレンズが眼上の中心にあるときに装用者の瞳孔に重なるレンズの部分を部分的に構成する。示されるように、領域６１０は透明であるが、半透明的又は不透明的に着色されてもよい。示される最も内側の境界６０４は、均一で規則的な形状であるが、不均一で不規則的な境界であってもよい。同様に、テーパ状スポークの境界６１２は、実質的に均一な境界を形成するが、不均一な境界を形成してもよい。
【００２８】
図７は、コンタクトレンズ７００上の代替テーパ状スポークパターンを示す。この例示的な実施形態では、角膜縁リング７０４の最も内側の境界７０２から始まり、コンタクトレンズ７００の幾何学中心に向かって内方に延びるのは、複数のランダムに配置されたテーパ状スポーク７０６である。この例示的な実施形態では、テーパ状スポーク７０６は、コンタクトレンズ７００の幾何学中心に向かって移動するにつれてテーパ状になる１つ又は２つ以上の波線を含む。図示されるように、最も内側の角膜縁リング境界７０２は、不均一で不規則な形状である。領域７０８は、パターン要素のない領域であり、この領域は、上述されるように装用者の虹彩部分並びに装用者の眼の瞳孔部分の全体を部分的に構成する。
【００２９】
図８は、コンタクトレンズ８００上の更に別のテーパ状スポークパターンを示す。この例示的な実施形態では、角膜縁リング８０４の最も内側の境界８０２で始まり、コンタクトレンズ８００の幾何学中心に向かって内方に延びるのは、複数のスポーク８０６及び８０８であり、スポーク８０６は、スポーク８０８より長く、これらのスポーク８０６、８０８の両方は、波線によって形成される。示されるように、スポーク８０６及び８０８は、実質的に規則的な間隔で互いから離間しているが、不規則的に離間していてもよい。更に、スポーク８０６のそれぞれは、全て実質的に同じ形状であるが、それらはスポーク８０８の場合と同様に、異なる形状であってもよい。要素８１０は、パターン要素のない領域であり、この領域は、上述されるように装用者の眼の虹彩部分並びに装用者の瞳孔の全体を部分的に構成する。
【００３０】
図９は、コンタクトレンズ９００上の更に別の例示的なテーパ状スポークパターンを示し、これは図８に示されるパターンの変形形態である。この例示的な実施形態では、スポークパターンは、複数のスポーク９０２及び９０４を有し、スポーク９０２は、スポーク９０４より長く、これらのスポーク９０２、９０４の両方は、波線によって形成される。示されるように、スポーク９０２及び９０４は、ランダムに一緒にグループ化されてクラスタ９０６を形成する。これらのクラスタ９０６は、角膜縁リング９１０の最も内側の半径９０８から延びる。
【００３１】
図１０は、コンタクトレンズ１０００上の例示的なテーパ状スポークパターンを示し、ここには角膜縁リング１００２があり、そこから内方に延びるのは、複数のランダムに離間したスポーク１００４である。この例示的な実施形態では、スポーク１００４は、１つ又は２つ以上の場所で屈曲している。
【００３２】
図６〜１０に関して記載されたパターンの全てにおいて、スポークは、レンズの幾何学中心へと内方に延びてもよい。しかしながら好ましくは、スポークの最も内側の境界又はレンズの幾何学中心に対する縁は、レンズの幾何学中心から約６．５ｍｍ以上、好ましくは約７ｍｍ以上に位置する。
【００３３】
スポーク及び角膜縁リング要素に加えて、これらのパターンは、幾つかの追加構成要素のうちのいずれを含んでもよい。そのような構成要素は、ドット及びラインなどの幾何学構造、又は縞模様、羽根様形状などを含む凝った構造、並びにそれらの組み合わせを含んでもよい。例示的な一実施形態において、図１１に図示されるように、コンタクトレンズ１１００は、スポーク１１０４に重なる複数のランダムドット１１０２と、スポーク１１０４間のスペースとを備えてもよい。代替として、複数のドットは、スポークの領域及びその間のスペースの一部分のみに重なってもよく、例えば、それらの最も内側の部分又は角膜縁リング１１０６に最も近い部分又はその領域の約１〜約９０％、好ましくは約２５〜７５％のみに重なる。更に別の代替例として、ランダムドットパターンは、レンズの幾何学中心に向かって内方に移動するにつれてドットの数が減り、ドット密度勾配を形成するようなものであってもよい。ドットは、角膜縁リング１１０６とスポーク１１０４との間の境界の溶け込みに役立つ。
【００３４】
更に別の代替例として、図１２において、複数のランダムドット１２０２を有し、スポーク１２０４及びスポーク間のスペースに重なるコンタクトレンズ１２００が示される。ドット１２０２は、スポーク１２０４の全体及びその間のスペースに重なる。スポークは、角膜縁リング１２０６から延びる。本発明のパターンで使用されるドットは、任意のサイズのものでもよく、好ましくは直径約０．０６０〜約０．１８０ｍｍ、より好ましくは直径約０．００７５〜約０．０１２５ｍｍである。
【００３５】
本明細書に記載される美容用コンタクトレンズのパターンのいずれかにおいて、中心は、好ましくは視力に影響を及ぼさないことを確実するように透明である。しかしながら、中心領域は、半透明／透明若しくは不透明色、又は不透明及び半透明／透明色のいかなる組み合わせの領域であってもよい。
【００３６】
装用者の眼の色を強化する又は変えるためにコンタクトレンズで使用されるとき、好ましくは角膜縁リング要素は、レンズ装用者の角膜縁領域の色を隠す色の塗潰し帯であり、より好ましくは隠す色は不透明色である。ここでも適切な大きさの角膜縁リングを用いてハロ効果を作り出してもよい。残りの要素、スポーク、ドット、及び他のパターン要素は、眼の上での所望の美容結果に応じて、半透明でも不透明でもよい。本発明の目的で、「半透明」とは、３８０〜７８０ｎｍ範囲で約６０〜約９９％、好ましくは約６５〜約８５％Ｔの平均光透過率（％Ｔ）を許容する色を意味する。「不透明」とは、３８０〜７８０ｎｍ範囲で０〜約５５％、好ましくは７〜約５０％Ｔの平均光透過率（％Ｔ）を許容する色を意味する。
【００３７】
角膜縁リング要素と虹彩パターン要素のそれぞれに選択される色は、レンズ装用者の虹彩の自然な色と、所望の強調又は色変更とによって決定される。したがって、要素は、任意の多様な色相及び彩度の、青色、緑色、灰色、茶色、黒色、黄色、赤色、又はそれらの組み合わせを含む、いずれかの色彩であってもよい。角膜縁リングに好ましい色には、さまざまな色相及び彩度の黒色、茶色、灰色、黒青色及び暗緑色のいずれか挙げられる。
【００３８】
角膜縁リング、スポーク、及び他のパターン要素の色もまた、互いに実質的に同じでも相補的でもよい。例えば、図１３において、角膜縁リング１３０２及びスポーク１３０４が同じ色であるパターンを含むコンタクトレンズ１３００が示される。スポーク１３０６は、角膜縁リング１３０２及びスポーク１３０４のそれと異なるが、相補的な色である。瞳孔部分１３０８は、角膜縁リング及びスポークの色に相補的な更に別の色である。好ましくは、瞳孔部分は透明であり、それは無色であることを意図する。
【００３９】
周辺部分を含む明るく着色された要素は、純粋な白、白に近い色、オフホワイト、淡黄色、淡青色、紅梅色、淡緑色、又は上記の色の任意の組み合わせでもよい。この要素は、レンズによって覆われていない強膜の可視部分とはっきりとコントラストをなさないように一致させられることが好ましい。これらの色は、不透明度とコントラストがより高められるより多量のＴｉＯ２の使用によって達成されることが好ましい。更に他の顔料には、より白っぽい色の要素を調整するために少量の黒酸化鉄、褐色酸化鉄、黄酸化鉄、赤酸化鉄、二酸化チタンなど、及びそれらの組み合わせが挙げられる。これらの顔料に加えて、ジクロロトリアジン及びビニルスルホン系染料を含めた、可溶性及び不可溶性の染料が使用されてもよい。例示的な一実施形態は、適切な半透明性を提供するために、１０％〜２０％のＴｉＯ２及び８０％〜９０％の透明結合ポリマーを有する着色剤である。
【００４０】
一般的に、着色された要素は、コンタクトレンズにおける使用に適した任意の有機若しくは無機顔料、又はこれらの顔料の組み合わせから製造することができる。不透明度は、使用される顔料及び二酸化チタンの濃度を変化させることによって調節されてもよく、多量になるにつれてより高い不透明度がもたらされる。例示的な有機顔料には、フタロシアニンブルー、フタロシアニングリーン、カルバゾールバイオレット、バットオレンジ＃１など、並びにそれらの組み合わせが挙げられる。有用な無機顔料の例としては、黒酸化鉄、褐色酸化鉄、黄酸化鉄、赤酸化鉄、二酸化チタンなど、並びにそれらの組み合わせが挙げられる。これらの顔料に加えて、ジクロロトリアジン及びビニルスルホン系染料を含めた、可溶性及び不可溶性の染料が使用されてもよい。有用な染料及び色素は、市販されている。
【００４１】
本発明によると、多層デザインを含むコンタクトレンズは、コンタクトレンズが上に位置付けられる眼の外観を、自然な見た目を維持しながら強調するために用いられてもよい。例示的なデザインはそれぞれ、３つの層、すなわち、固有の角膜縁デザイングラフィック、固有の内部効果グラフィック、及び固有の外部効果グラフィックを含む。さまざまな層を印刷する順序及び色彩は、下で詳細に記載されるように、最終デザインに対する影響を有する。加えて、３つの層のそれぞれは、固有の眼の外観を作り出すために、色彩及びデザインがさまざまであってもよい。
【００４２】
これらの層は、任意の数のデザイン要素及びデザイン原理を用いて形成されてもよい。例えば、ラインを用いて形状を明確化し、生来の虹彩において見出されるライン構造、形状、及び輪郭に似せるか、又は模倣する輪郭を作り出すことができる。さまざまなレベルの半透明性又は不透明性を持つ色及び色調の値を用いて、溶け込み及びコントラストをなすことができる一方、さまざまな色及び色調を用いて、ハイライト及び陰影を形成することにより、奥行を示唆することができる。スペースを用いて組成を決定することができ、例えば、ポジティブスペースを用いて効果を明確化し、示唆することができる一方、ネガティブスペースを用いて、生来の虹彩が全体パターンの効果に寄与するのを可能にすることができる。重複する層の透視を用いて、所与のパターン内の奥行を示唆し、明示することができる。色彩及び形状のコントラストを通して作り出されたテクスチャは、虹彩の多様性を作り出すために用いられてもよい。二次元アートで使用されるように、テクスチャは、明暗の使用によって作り出される。明暗要素を用いて、奥行及び形態を示唆してもよい。
【００４３】
上記のように、本発明は、３つの別個の層を用いて、全体パターンの更なる奥行及び多様性を提供する。角膜縁デザイングラフィックは、虹彩の外径を包囲する全体パターンの部分であり、強膜に最も近く、眼の角膜縁領域をハイライト、強調、及び／又は明確化することを意図されるが、それはまた、虹彩中へと延びる要素も含む。内部効果グラフィック層は、虹彩を強調することを意図される全体パターンの部分であるが、眼の角膜縁領域をハイライト、強調、及び／又は明確化することにも寄与する部分を含んでもよい。外部効果グラフィック層は、虹彩を強調することを意図される全体パターンの部分であるが、眼の角膜縁領域をハイライト、強調、及び／又は明確化することにも寄与する部分を含んでもよい。本発明の多層アプローチを用いて、重複する及び重複しない半透明層を用いてさまざまなレベルの半透明性及び／又は不透明性を作り出すことができる。
【００４４】
上で説明されるさまざまなデザイン要素を用いて、さまざまな効果を達成することができる。上記の角膜縁リング／テーパ状スポークパターンと同様に、本発明による多層デザインもまた、同様の特徴を使用することができる。例えば、スポーク、指、毛様構造を、類似の構造及び／又はドットと同様に用いて、濃淡のない角膜縁帯を虹彩に溶け込ませることができる。加えて、生来の虹彩において見出されるものを含むさまざまな他の幾何学形状を、さまざまな層に組み込んでもよい。
【００４５】
図１４Ａを参照すると、本発明による角膜縁デザイングラフィック１４００の第１の例示的な実施形態が示されている。この例示的な実施形態では、角膜縁デザイングラフィック１４００は、幅約０．８９ｍｍの半透明環状帯１４０２を含む。環状帯１４０２の最も内側の境界１４０４に接続され、そこから角膜縁デザイングラフィック１４００の幾何学中心に向かって伸びるのは、複数の長い、中間長の、及び短い毛様構造１４０６である。毛様構造のうちの幾つかは、主要構造１４０６からの分枝１４０８を有する。半透明の帯１４０２に接続されていない追加の毛様構造１４１０は、他の毛様構造１４０６の間に散在される。これらの毛様構造は、虹彩内の生来の構造、例えば、瞳孔筋構造、折畳み又は放射溝、窩、毛様体などのように見えるように設計される。半透明環状帯１４０２は、装用者の角膜縁領域に重なり、強調するように設計されるが、同様に半透明である突出構造１４０６、１４０８、及び１４１０は、装用者の虹彩を強調し、半透明環状帯１４０２を装用者の虹彩と溶け込ませるように設計される。毛様構造間のスペースは、重複要素及び下層要素に応じて、有色の形状及び特徴並びに曝露された虹彩を含む、形状を作り出す。デザイングラフィック１４００の中央部１４１２は、デザインのこの部分が瞳孔に対応するため、透明であってもよい。しかしながら、この中央部１４１２に色合いを用いてもよい点に留意することは重要である。加えて、デザインの要素間のスペースは、透明でも着色されていてもよい。
【００４６】
この例示的な実施形態では、角膜縁デザイングラフィック１４００全体は、赤色酸化鉄、二酸化チタン、トランスオキシド黄色、黄色酸化鉄、茶色酸化鉄、及び黒色酸化鉄顔料を、茶色から黒色ファミリーの色を作り出す比率で含む組成から形成された、半透明のミディアムブラウンである。角膜縁デザイングラフィック１４００は、この例示的な実施形態において半透明であるが、他のデザインは、不透明要素又は不透明及び半透明要素の組み合わせを含んでもよい点に留意することは重要である。この角膜縁デザイングラフィック１４００は、後に詳細に記載される技法を用いて印刷され、それは最初に印刷される。言い換えると、それはレンズに組み込まれる全体デザインの第１のグラフィック層である。印刷の順序は、後により詳細に記載されるように、全体デザインに影響する。
【００４７】
図１４Ｂは、本発明による内部効果デザイングラフィック１４２０の第１の例示的な実施形態を示す。内部効果グラフィック１４２０は、複数の丸いトラフ１４２４及び尖ったピーク１４２６を、その中のネガティブスペース１４２８の（ネガティブスペースは、印刷された要素内では閉じた特徴として、及び印刷された要素の外側では開いた形状として存在する）、すなわち、パターンのない、さまざまな形状の要素とともに有する、幾何学形状を持つ波様リング構造１４２２と、トラフ１４２４内に散在するさまざまな長さ及び幅の複数の細長い実質的に楕円形構造１４３０とを備える、環状帯を含む。実質的に楕円形の構造１４３０は、テーパ状終点を有することも有しないこともある。全体効果は、正弦波パターンに類似しても生来の虹彩を模倣してもよい。より具体的には、全体効果は、虹彩内の生来の構造、例えば、瞳孔筋構造、折畳み又は放射溝、窩、毛様体などのように見えるように設計される。内部効果デザイングラフィック１４２０は、装用者の虹彩に重なり、強調するように設計され、角膜縁デザイングラフィック１４００の半透明環状帯１４０２と少なくとも部分的に重複する。加えて、内部効果デザイングラフィック１４２０は、重複する半透明区分を有するような方法で角膜縁デザイングラフィック１４００の突出構造１４０６、１４０８、及び１４１０に重なると同時に、突出構造１４０６、１４０８、及び１４１０の間のネガティブスペースのうちの幾らか又は一部分を充填する。重複する半透明顔料の区分は、パターン内に追加の色相を作り出し、これは下層の個人の構造に用いられる色彩並びに異なるレベルの半透明性に応じて、より暗くてもより明るくてもよい。このパターンの要素間のスペースは、重複要素及び下層要素に応じて、有色の形状及び特徴並びに曝露された虹彩を含む、形状を作り出す。デザイングラフィック１４２０の中央部１４３２は、デザインのこの部分が瞳孔に対応するため、透明であってもよい。しかしながら、この領域に色合いを用いてもよい点に留意することは重要である。加えて、ネガティブスペースは透明でも着色されてもよい。
【００４８】
この例示的な実施形態では、内部効果デザイングラフィック１４２０全体は、赤色酸化鉄、トランスオキシド黄色、茶色酸化鉄、及びトランスオキシド顔料を、橙色ファミリーの色を作り出す比率で組成から形成された、半透明の橙色である。橙色ファミリーは、黄色及び金色を含む。これらの色又はこのファミリーの色は、より暗い色相、例えば、茶色、暗い茶色、暗い栗色などの眼を持つ個人の下層の生来の虹彩の色を強調することを意図される。より明るい色相、例えば、青色、緑色、明るい栗色、灰色などの眼を持つ個人には、異なる色が用いられるであろう。内部効果グラフィック１４２０は、半透明要素を含むが、他の実施形態では、不透明要素及び／又は半透明及び不透明要素の組み合わせを含んでもよい点に留意することは重要である。この内部効果グラフィック１４２０は、後に詳細に記載される技法を用いて印刷され、角膜縁グラフィック１４００の後で２番目に印刷される。言い換えると、内部効果グラフィック１４２０は、角膜縁デザイングラフィック１４００の後でその上に印刷される。この印刷順序は、製造の観点からのものである。観察者の観点から、この層、すなわち内部効果デザイングラフィック１４２０は、グラフィック１４００の後ろに出現する。内部効果デザイングラフィック１４２０の外径は、角膜縁デザイングラフィック１４００の外径よりも小さいが、内径は実質的に等しい。
【００４９】
図１４Ｃは、本発明による外部効果デザイングラフィック１４４０の第１の例示的な実施形態を示す。この例示的な実施形態では、外部効果デザイングラフィック１４４０は、幅約１．４４ｍｍの半透明環状帯１４４２を含む。半透明環状帯１４４２の最も内側の境界１４４４に接続し、そこから延びるのは、複数の長い、中間長の、及び短い実質的に三角形の構造１４４６である。実質的に三角形の構造のうちの幾つかは、尖端で互いに接し、包囲されたスペース１４４８を形成する。外部効果デザイングラフィック１４４０はまた、半透明環状帯１４４２に接続していない複数のライン１４５０を含み、実質的に三角形の構造間に散在され、同じ方向に、すなわち、外部効果デザイングラフィック１４４０の幾何学中心に向かって配向される。これらの構造は、虹彩内の生来の構造、例えば、瞳孔筋構造、折畳み又は放射溝、窩、毛様体などのように見えるように設計される。半透明環状帯１４４２の外縁は、環状帯１４４２の外観をより不明確な構造に変える、くし様構造１４５２を備える。くし様構造１４５２は、３つの層、すなわち、角膜縁デザイングラフィック１４００、内部効果デザイングラフィック１４２０、及び外部効果デザイングラフィック１４４０からの半透明色を重複させることによって作り出された重複するラインを軟化して溶け込ませることが意図される。外部効果デザイングラフィック１４４０は、角膜縁デザイングラフィック１４００の半透明環状帯１４０２、並びに内部効果デザイングラフィック１４２０全体及び角膜縁デザイングラフィック１４００の突出構造１４０６、１４０８、及び１４１０に重なり、強調するように設計される。外層デザイングラフィック１４４０は、よりネガティブなスペースを充填し、重複する区分又はポジティブスペースは、追加の色相の領域、異なるレベルの不透明性の領域、及び任意の単層又はグラフィックから分離し、別個の異なるデザインを作り出す。加えて、重複する領域間のネガティブスペースは、生来の虹彩と連動することによって、溶け込み及び美容効果を支援する形状及びパターンを作り出す。この設計の要素間のネガティブスペースは、重複要素及び下層要素に応じて、有色の形状及び特徴並びに曝露された虹彩を含む、形状を作り出す。中央部１４５４は、レンズのこの部分が瞳孔に対応するため、透明であってもよい。しかしながら、この区分に色合いを用いてもよい点に留意することは重要である。加えて、要素間のネガティブスペースが着色されてもよい。くし様構造１４５２は、半透明の角膜縁デザイングラフィック１４００の硬い線を崩す形状を作り出すことによって、角膜縁デザイングラフィックの環状帯１４０２の外径を変える。
【００５０】
この例示的な実施形態では、外部効果デザイングラフィック１４４０全体は、茶色酸化鉄及び黒色酸化鉄顔料を含む組成から形成された、半透明の黒色である。外部効果デザイングラフィック１４４０及び角膜縁デザイングラフィック１４００が重複する、この例示的な実施形態では、それらは、より暗い、より明確な／不透明な領域を作り出すが、重複しないデザインの部分は、より半透明の着色を残し、不透明から透明への半透明の溶け込みを提供する。この技法は、生来の虹彩との溶け込みを可能にする。外部効果デザイングラフィック１４４０は、この例示的な実施形態では、半透明のデザインを含むが、他の実施形態では、このデザインは、不透明要素並びに／又は半透明及び不透明要素の組み合わせを含んでもよい。外部効果グラフィック１４４０は、後に詳細に記載される技法を用いて印刷され、内部効果グラフィック層１４２０の後で３番目にその上に印刷される。印刷順序は、製造の観点からのものである。観察者の観点から、この層は、内部効果デザイングラフィック１４２０の後ろに出現する。外部効果グラフィック１４４０の外径は、角膜縁デザイングラフィック１４００の外径よりも小さいが、内径は実質的に等しい。
【００５１】
図１４Ｄは、上記の順序で印刷された３つの層又はデザイングラフィック１４００、１４２０、及び１４４０全てを含む美容用コンタクトレンズ１４６０の第１の例示的な実施形態を示す。印刷順序は、製造の観点から記載されているが、観察者が眼上のコンタクトレンズを見ているときに、視覚効果は、印刷において記載されるものとは逆の順序で層又はデザイングラフィックを見るということである。示されるように、重複する層は、異なる色、異なるレベルの半透明性、異なる色相、異なるレベルの明るさ、異なるレベルの暗さ、及び固有の構造を形成するパターンを含む。印刷順序又は色のいずれか両方の変化は、後に詳細に記載されるように異なるデザインをもたらす。加えて、半透明性のレベルを変化させることは、色相、溶け込み、テクスチャ、及びコントラストに関して全体デザインに影響することもできる。
【００５２】
３つの層によって作り出された全体デザインは、約６．５ｍｍの内径及び約１２．６７５ｍｍ〜約１２．８ｍｍの範囲の外径を持つ環状構造を備える。この環状構造は、デザインの点で眼の虹彩構造と同様である。レンズの中心のオープン又はネガティブスペースは、眼の瞳孔領域又は光学ゾーンに対応し、好ましくは視覚を干渉しないように透明である。しかしながら、上記のように、この領域は、着色されると同時に任意のネガティブスペースであってもよい。
【００５３】
図１５Ａを参照すると、本発明による角膜縁デザイングラフィック１５００の第２の例示的な実施形態が示されている。この例示的な実施形態では、角膜縁デザイングラフィック１５００は、幅約０．８９ｍｍの半透明環状帯１５０２を含む。半透明環状帯１５０２の最も内側の境界１５０４に接続され、そこから角膜縁デザイングラフィック１５００の幾何学中心に向かって伸びるのは、複数の長い、中間長の、及び短い毛様構造１５０６である。毛様構造のうちの幾つかは、主要構造１５０６からの分枝１５０８を有する。不透明帯１５０２に接続されていない追加の毛様構造１５１０は、他の毛様構造１５０６の間に散在される。これらの毛様構造は、虹彩内の生来の構造、例えば、瞳孔筋構造、折畳み又は放射溝、窩、毛様体などのように見えるように設計される。半透明環状帯１５０２は、装用者の角膜縁領域に重なり、強調するように設計されるが、突出構造１５０６、１５０８、及び１５１０は、装用者の虹彩を強調し、環状帯１５０２を虹彩と溶け込ませるように設計される。突出構造１５０６、１５０８、及び１５１０もまた、半透明である。毛様構造間のスペースは、重複要素及び下層要素に応じて、有色の形状及び特徴並びに曝露された虹彩を含む、形状を作り出す。デザイングラフィック１５００の中央部１５１２は、デザインのこの部分が瞳孔に対応するため、透明であってもよい。しかしながら、この中央部１５１２に色合いを用いてもよい点に留意することは重要である。加えて、デザインの要素間のスペースは、透明でも着色されていてもよい。
【００５４】
この例示的な実施形態では、全体角膜縁デザイングラフィック１５００は、黒色酸化鉄顔料から形成された半透明の黒色である。角膜縁デザイングラフィック１５００は、この例示的な実施形態において半透明であるが、他のデザインは、不透明要素又は不透明及び半透明要素の組み合わせを含んでもよい点に留意することは重要である。この角膜縁デザイングラフィック１５００は、後に詳細に記載される技法を用いて印刷され、それは最初に印刷される。言い換えると、それはレンズに組み込まれる全体デザインの第１のグラフィック層である。印刷の順序は、後により詳細に記載されるように、全体デザインに影響する。
【００５５】
図１５Ｂは、本発明による内部効果デザイングラフィック１５２０の第２の例示的な実施形態を示す。内部効果グラフィック１５２０は、複数の丸いトラフ１５２４及び尖ったピーク１５２６を、その中のネガティブスペース１５２８の（ネガティブスペースは、印刷された要素内では閉じた特徴として、及び印刷された要素の外側では開いた形状として存在する）、すなわち、パターンのない、さまざまな形状の要素とともに有する、幾何学形状を持つ波様リング構造１５２２と、トラフ１５２４内に散在するさまざまな長さ及び幅の複数の細長い実質的に楕円形構造１５３０とを備える、環状帯を含む。実質的に楕円形の構造１５３０は、テーパ状終点を有することも有しないこともある。全体効果は、放射状パターンに類似しても生来の虹彩を模倣してもよい。より具体的には、全体効果は、虹彩内の生来の構造、例えば、瞳孔筋構造、折畳み又は放射溝、窩、毛様体などのように見えるように設計される。内部効果デザイングラフィック１５２０は、装用者の虹彩に重なり、強調するように設計され、角膜縁デザイングラフィック１５００の半透明環状帯１５０２と少なくとも部分的に重複する。加えて、内部効果デザイングラフィック１５２０は、重複する半透明区分を有するような方法で角膜縁デザイングラフィック１５００の突出構造１５０６、１５０８、及び１５１０に重なると同時に、突出構造１５０６、１５０８、及び１５１０の間のネガティブスペースのうちの幾らか又は一部分を充填する。重複する半透明顔料の区分は、パターン内に追加の色相を作り出し、これは下層の個人の構造に用いられる色彩並びに異なるレベルの半透明性に応じて、より暗くてもより明るくてもよい。このパターンの要素間のスペースは、重複要素及び下層要素に応じて、有色の形状及び特徴並びに曝露された虹彩を含む、形状を作り出す。デザイングラフィック１５２０の中央部１５３２は、デザインのこの部分が瞳孔に対応するため、透明であってもよい。しかしながら、この領域に色合いを用いてもよい点に留意することは重要である。加えて、デザインの要素間のスペースは、透明でも着色されていてもよい。
【００５６】
この例示的な実施形態では、内部効果デザイングラフィック１５２０全体は、赤色酸化鉄、二酸化チタン、トランスオキシド黄色、黄色酸化鉄、茶色酸化鉄、及び黒色酸化鉄顔料を、金色から茶色ファミリーの色を作り出す比率で含む組成から形成された、半透明のミディアムブラウンである。用いられる色は、下層の生来の虹彩の色をハイライトするか又はそうでなければ強調することを意図される。異なる色の眼には異なる色が用いられる。内部効果デザイングラフィック１５２０は、代替の例示的な実施形態において、不透明及び／又は不透明及び半透明要素の組み合わせを含んでもよい。この内部効果デザイングラフィック１５２０は、後に詳細に記載される技法を用いて印刷され、角膜縁グラフィック１５００の後で２番目に印刷される。言い換えると、内部効果グラフィック１５２０は、角膜縁デザイングラフィック１５００の後でその上に印刷される。この印刷順序は、製造の観点からのものである。観察者の観点から、このグラフィック層１５２０は、角膜縁デザイングラフィック１５００の後ろに出現する。内部効果デザイングラフィック１５２０の外径は、角膜縁デザイングラフィック１５００の外径よりも小さいが、内径は実質的に等しい。
【００５７】
図１５Ｃは、本発明による外部効果デザイングラフィック１５４０の第２の例示的な実施形態を示す。この例示的な実施形態では、外部効果デザイングラフィック１５４０は、幅約１．４４ｍｍの半透明環状帯１５４２を含む。半透明環状帯１５４２の最も内側の境界１５４４に接続し、そこから延びるのは、複数の長い、中間長の、及び短い実質的に三角形の構造１５４６である。実質的に三角形の構造のうちの幾つかは、尖端で互いに接し、包囲されたスペース１５４８を形成する。外層デザイングラフィック１５４０はまた、不透明な環状帯１５４２に接続していない複数のライン１５５０を含み、実質的に三角形の構造間に散在され、同じ方向に、すなわち、外部効果デザイングラフィック１５４０の幾何学中心に向かって配向される。これらの構造は、虹彩内の生来の構造、例えば、瞳孔筋構造、折畳み又は放射溝、窩、毛様体などのように見えるように設計される。半透明環状帯１５４２の外縁は、環状帯１５４２の外観をより不明確な構造に変えるくし様構造１５５２を備える。くし様構造１５５２は、３つの層、すなわち、角膜縁デザイングラフィック１５００、内部効果グラフィック１５２０、及び外部効果デザイングラフィック１５４０からの半透明色を重ねることによって作り出された重複する線を軟化して溶け込ませることを意図される。外部効果デザイングラフィック１５４０は、角膜縁デザイングラフィック１５００の半透明環状帯１５０２、並びに内部効果デザイングラフィック１５２０全体及び角膜縁デザイングラフィック１５００の突出構造１５０６、１５０８、及び１５１０に重なり、強調するように設計される。外部効果デザイングラフィック１５４０は、よりネガティブなスペースを充填し、重複する区分又はポジティブスペースは、追加の色相の領域、異なるレベルの不透明性の領域、及び任意の単層又はグラフィックから分離し、別個の異なるデザインを作り出す。加えて、重複する領域間のネガティブスペースは、生来の虹彩と連動することによって、溶け込み及び美容効果を支援する形状及びパターンを作り出す。この設計の要素間のネガティブスペースは、重複要素及び下層要素に応じて、有色の形状及び特徴並びに曝露された虹彩を含む、形状を作り出す。中央部１５５４は、レンズのこの部分が瞳孔に対応するため、透明であってもよい。しかしながら、この区分に色合いを用いてもよい点に留意することは重要である。加えて、要素間のネガティブスペースは、透明でも着色されてもよい。くし様構造１５５２は、その外観を軟化することによって角膜縁デザイングラフィックの環状帯１５０２の外径の外観を変える。
【００５８】
この例示的な実施形態では、外部効果デザイングラフィック１５４０全体は、二酸化チタン及び黒色酸化鉄顔料を含む組成から形成された、半透明の灰色である。外部効果デザイングラフィック１５４０及び角膜縁デザイングラフィック１５００が重複する、この例示的な実施形態では、それらは、より暗い、より明確な／不透明な領域を作り出すが、重複しないデザインの部分は、より半透明の着色を残し、不透明から透明への半透明の溶け込みを提供する。この技法は、生来の虹彩との溶け込みを可能にする。外部効果デザイングラフィック１５４０は、半透明のデザインを含むが、他のデザインは、不透明要素並びに／又は不透明及び半透明要素の組み合わせを組み込んでもよい。外部効果グラフィック１５４０は、後に詳細に記載される技法を用いて印刷され、内部効果グラフィック層１５２０の後で３番目にその上に印刷される。印刷順序は、製造の観点からのものである。観察者の観点から、この層は、内部効果デザイングラフィック１５２０の背後に出現する。外部効果グラフィック１５５４の外径は、角膜縁デザイングラフィック１５００の外径よりも小さいが、内径は実質的に等しい。
【００５９】
図１５Ｄは、上記の順序で印刷された３つの層又はデザイングラフィック１５００、１５２０、及び１５４０全てを含む美容用コンタクトレンズ１５６０の第２の例示的な実施形態を示す。印刷順序は、製造の観点から記載されているが、観察者が眼上のコンタクトレンズを見ているときに、視覚効果は、印刷において記載されるものとは逆の順序で層又はデザイングラフィックを見るということである。示されるように、重複する層は、異なる色、異なる色相、異なるレベルの明るさ、異なるレベルの暗さ、及び固有の構造を形成するパターンを含む。印刷順序又は色のいずれか両方の変化は、異なるデザインをもたらす。加えて、これらの変化のいずれも半透明性のレベルに影響することがあり、全体デザインにも影響し得る。
【００６０】
３つの層によって作り出された全体デザインは、約６．０ｍｍの内径及び約１２．５０ｍｍ〜約１２．７７５ｍｍの範囲の外径を持つ環状構造を備える。この環状構造は、デザインの点で眼の虹彩構造と同様である。レンズの中心のオープン又はネガティブスペースは、眼の瞳孔領域又は光学ゾーンに対応し、好ましくは視覚を干渉しないように透明である。しかしながら、上記のように、この領域並びに任意のネガティブスペースは、着色されてもよい。
【００６１】
図１６Ａを参照すると、本発明による角膜縁デザイングラフィック１６００の第３の例示的な実施形態が示されている。この例示的な実施形態では、角膜縁デザイングラフィック１６００は、幅約０．８９ｍｍの半透明環状帯１６０２を含む。半透明環環状帯１６０２の最も内側の境界１６０４に接続され、そこから角膜縁デザイングラフィック１６００の幾何学中心に向かって伸びるのは、複数の長い、中間長の、及び短い毛様構造１６０６である。毛様構造のうちの幾つかは、主要構造１６０６からの分枝１６０８を有する。フック様構造を作り出す追加の分枝様構造１６１０は、瞳孔筋の縁を模倣することを意図される。前述のように、これらの構造の全ては、虹彩内の生来の構造、例えば、瞳孔筋構造、折畳み又は放射溝、窩、毛様体などのように見えるように設計される。半透明環状帯１６０２は、装用者の角膜縁領域に重なり、強調するように設計されるが、突出構造１６０６、１６０８、及び１６１０は、装用者の虹彩を強調し、半透明環状帯１６０２を装用者の虹彩と溶け込ませるように設計される。毛様構造もまた、半透明である。毛様構造間のスペースは、重複要素及び下層要素に応じて、有色の形状及び特徴並びに曝露された虹彩を含む、形状を作り出す。デザイングラフィック１６００の中央部１６１２は、デザインのこの部分が瞳孔に対応するため、透明であってもよい。しかしながら、この中央部１６１２に色合いを用いてもよい点に留意することは重要である。加えて、デザインの要素間のスペースは、透明でも着色されていてもよい。
【００６２】
この例示的な実施形態では、角膜縁デザイングラフィック１６００全体は、茶色酸化鉄及び黒色酸化鉄顔料を、茶色から黒色ファミリーの色を作り出す比率で含む組成から形成された、半透明の暗い茶色である。角膜縁デザイングラフィック１６００は、半透明要素を含むが、他の例示的な実施形態では、それは、不透明要素並びに／又は半透明及び不透明要素の組み合わせを含んでもよい。この角膜縁デザイングラフィック１６００は、後に詳細に記載される技法を用いて印刷され、それは最初に印刷される。言い換えると、それはレンズに組み込まれる全体デザインの第１のグラフィックデザインである。印刷の順序は、後により詳細に記載されるように、全体デザインに影響する。
【００６３】
図１６Ｂは、本発明による外部効果デザイングラフィック１６２０の第３の例示的な実施形態を示す。内部及び外部効果グラフィックの印刷の順序は、この例示的な実施形態において変更される点に留意することは重要である。上記の例示的な実施形態では、内部効果デザイングラフィックは、角膜縁デザイングラフィックと外部効果デザイングラフィックとの間にある。この例示的な実施形態では、外部効果デザイングラフィック１６２０は、幅約１．４４ｍｍの半透明環状帯１６２２を含む。半透明環状帯１６２２の最も内側の境界１６２４に接続し、そこから延びるのは、複数の長い、中間長の、及び短い実質的に三角形の構造１６２６である。実質的に三角形の構造のうちの幾つかは、尖端で互いに接し、包囲されたスペース１６２８を形成する。外部効果デザイングラフィック１６２０はまた、半透明環状帯１６２２に接続していない複数の線１６３０を含み、実質的に三角形の構造間に散在され、同じ方向に、すなわち、外部効果デザイングラフィック１６２０の幾何学中心に向かって配向される。実質的に三角形の構造又は突出部１６２６のうちの幾つかは、分枝１６３２を有し、線１６３０のうちの幾つかは、分枝１６３４を有する。これらの構造の全ては、虹彩内の生来の構造、例えば、瞳孔筋構造、折畳み又は放射溝、窩、毛様体などのように見えるように設計される。環状帯１６２２の外縁は、環状帯１６２２の外観をより不明確な構造に変えるくし様構造１６３６を備える。くし様構造１６３６は、２つの層からの半透明色を重ねることによって作り出された重複する線を軟化して溶け込ませることを意図される。外部効果デザイングラフィック１６２０の要素の全ては、半透明であるが、他の実施形態では、これらの要素は、不透明並びに／又は半透明及び不透明の組み合わせであってもよい。外部効果デザイングラフィック１６２０は、角膜縁グラフィック１６００の半透明環状帯１６０２と重なり、強調するように設計される。加えて、外部効果デザイングラフィック１６２０は、重複する区分を有するような方法で角膜縁デザイングラフィック１６００の突出構造１６０６、１６０８、及び１６１０に重なると同時に、突出構造１６０６、１６０８、及び１６１０の間のネガティブスペースのうちの幾らか又は一部分を充填する。外部効果デザイングラフィック１６２０は、よりネガティブなスペースを充填し、重複する区分又はポジティブスペースは、追加の色相の領域、異なるレベルの不透明性の領域、及び任意の単層又はグラフィックから分離し、別個の異なるデザインを作り出す。加えて、重複する領域間のネガティブスペースは、生来の虹彩と連動することによって、溶け込み及び美容効果を支援する形状及びパターンを作り出す。この設計の要素間のネガティブスペースは、重複要素及び下層要素に応じて、有色の形状及び特徴並びに曝露された虹彩を含む、形状を作り出す。中央部１６３８は、レンズのこの部分が瞳孔に対応するため、透明であってもよい。しかしながら、この領域に色合いを用いてもよい点に留意することは重要である。加えて、着色は、ネガティブスペースにおいて同様に用いられてもよい。くし様構造１６３６は、その外観を軟化することによって角膜縁デザイングラフィック１６００の環状帯１６０２の外径を変える。
【００６４】
この例示的な実施形態では、外部効果デザイングラフィック１６２０全体は、赤色酸化鉄、二酸化チタン、トランスオキシド黄色、フタロシアニングリーン、黄色酸化鉄、茶色酸化鉄、及び黒色酸化鉄顔料を含む組成から形成された、半透明の茶色である。外部効果デザイングラフィック１６２０及び角膜縁デザイングラフィック１６００が重複する、この例示的な実施形態では、それらは、より暗い、より明確な／不透明な領域を作り出すが、重複しないデザインの部分は、より半透明の着色を残し、不透明から透明への半透明の溶け込みを提供する。この技法は、生来の虹彩との溶け込みを可能にする。外部効果デザイングラフィック１６２０は、この例示的な実施形態では、半透明のデザインを含むが、他の例示的な実施形態では、このデザインは、不透明要素並びに／又は半透明及び不透明要素の組み合わせを含んでもよい。外部効果デザイングラフィック１６２０は、後に詳細に記載される技法を用いて印刷され、内部効果グラフィック層１６００の後で２番目にその上に印刷される。印刷順序は、製造の観点からのものである。観察者の観点から、この層は、角膜縁デザイングラフィック１６００の後ろに出現する。外部効果デザイングラフィック１６２０の外径は、角膜縁デザイングラフィック１６００の外径よりも小さいが、内径は実質的に等しい。
【００６５】
図１６Ｃは、本発明による内部効果デザイングラフィック１６４０の第３の例示的な実施形態を示す。この例示的な実施形態では、内部効果デザイングラフィック１６４０は、幅約２．０８ｍｍの半透明環状帯１６４２を含む。図から容易に見ることができるように、環状帯１６４２は、この実施形態では、他の環状帯よりもはるかに幅広い。環状帯１６４２の最も内側の境界１６４４に接続され、そこから延びるのは、内部効果デザイングラフィック１６４０の幾何学中心に向かって内方に延びる、複数の実質的に三角形の構造又は突出部１６４６である。これらの突出部は、虹彩内の生来の構造、例えば、瞳孔筋構造、折畳み又は放射溝、窩、毛様体などのように見えるように設計される。環状帯１６４２の外縁は、環状帯１６４２の外観をより不明確な構造に変える、硬い線が重複する領域を軟化する／溶け込ませる一貫性のない表面１６４８を含む。それは、外部効果デザイングラフィック１６２０のくし様構造１６３６よりも顕著ではない。内部効果デザイングラフィック１６４０は、角膜縁デザイングラフィック１６００及び外部効果デザイングラフィック１６２０それぞれの半透明環状帯１６０２及び１６２２に重なり、強調するように設計される。ここでも実質的に三角形の構造１６４６は、角膜縁デザイングラフィック１６００の突出部１６０６、１６０８、及び１６１０と、外層デザイングラフィック１６２０の要素１６２６、１６２８、及び１６３０との間のスペースに重複し、充填する。重複する半透明顔料の区分は、パターン内に追加の色相を作り出し、これは個人の下層構造に用いられる色彩並びに異なるレベルの半透明性に応じて、より暗くてもより明るくてもよい。このパターンの要素間のスペースは、重複要素及び下層要素に応じて、有色の形状及び特徴並びに曝露された虹彩を含む、形状を作り出す。内部効果グラフィック１６４０の中央部１６５０は、デザインのこの部分が瞳孔に対応するため、透明であってもよい。しかしながら、中央部１６５０において並びにネガティブスペースにおいて色合いが用いられてもよい点に留意することは重要である。
【００６６】
この例示的な実施形態では、内部効果デザイングラフィック１６４０全体は、トランスオキシド黄色、黄色酸化鉄、茶色酸化鉄、及びトランスオキシド顔料を、黄色ファミリーの色を作り出す比率で組成から形成された、半透明な黄色である。上記のように、黄色は、橙色ファミリーの一部であり、金色も含む。これらの色は、茶色又は暗い眼を持つ個人に対して、下層の生来の虹彩の色を強調することを意図される。より明るい眼の色には、異なる色が用いられるであろう。この内部効果デザイングラフィック１６４０は、後に詳細に記載される技法を用いて印刷され、外部効果グラフィック１６２０の後で３番目に印刷される。言い換えると、内部効果グラフィック１６４０は、外部デザイングラフィック１６２０の後でその上に印刷される。印刷順序は、製造の観点からのものである。観察者の観点から、この層は、外層の後ろに出現する。内部効果デザイングラフィック１６４０は、半透明要素を含むが、代替の例示的な実施形態では、それは、不透明要素並びに／又は不透明及び半透明要素の組み合わせを含んでもよい。内部効果デザイングラフィック１６４０の外径は、角膜縁デザイングラフィック１６００の外径よりも小さいが、内径は実質的に等しい。
【００６７】
図１６Ｄは、上記の順序で印刷された３つの層又はデザイングラフィック１６００、１６２０、及び１６４０全てを含む美容用コンタクトレンズ１６６０の第３の例示的な実施形態を示す。内部効果層及び外部効果層が切り替えられるため、印刷順序は、上述される他の２つの例示的な実施形態とは異なる点に留意することは重要である。加えて、３つのデザイングラフィックは全て、固有の角膜縁リングデザインパターンを作り出す環状帯を有する。印刷順序は、製造の観点から記載されているが、観察者が眼上のコンタクトレンズを見ているときに、視覚効果は、印刷において使用されるものとは逆の順序で層又はデザイングラフィックを見るということである。示されるように、重複する層は、異なる色、異なる色相、異なるレベルの明るさ、異なるレベルの暗さ、及び固有の構造を形成するパターンを含む。印刷順序又は色のいずれか両方の変化は、異なるデザインをもたらす。加えて、半透明性の変化も達成され得る。
【００６８】
３つの層によって作り出された全体デザインは、約６．７ｍｍの内径及び約１２．６５０ｍｍ〜約１２．７２５ｍｍの範囲の外径を持つ環状構造を備える。この環状構造は、デザインの点で眼の虹彩構造と同様である。レンズの中心のオープン又はネガティブスペースは、眼の瞳孔領域又は光学ゾーンに対応し、好ましくは視覚を干渉しないように透明である。しかしながら、上記のように、この領域は着色されてもよく、要素間のネガティブスペースであってもよい。
【００６９】
図１７Ａを参照すると、本発明による角膜縁デザイングラフィック１７００の第４の例示的な実施形態が示されている。この例示的な実施形態では、角膜縁デザイングラフィック１７００は、幅約０．８５ｍｍの半透明環状帯１７０２を含む。半透明環状帯１７０２の最も内側の境界１７０４に接続され、そこから角膜縁デザイングラフィック１７００の幾何学中心に向かって伸びるのは、生来の虹彩内の窩に類似する複数の幾何学構造１７０６である。追加の幾何学構造１７０８もまた、角膜縁デザイングラフィック１７００の幾何学中心に向かって伸びるが、半透明環状帯１７０２に付着しない。窩は、捲縮輪のいずれかの側面上に位置する一連の開口部である、生来の虹彩上で見出される物理的特徴である。虹彩の基部上の窩は、虹彩の毛様部分の最も外側の部分の近くで観察され得る、追加の開口部である。上記のように、デザイングラフィックにおける要素の全ては、虹彩内の生来の構造、例えば、瞳孔筋構造、折畳み又は放射溝、窩、毛様体などのように見えるように設計される。半透明環状帯１７０２は、装用者の角膜縁領域に重なり、強調するように設計されるが、突出構造１７０６及び１７０８は、装用者の虹彩を強調し、環状帯１７０２を虹彩と溶け込ませるように設計される。幾何学構造間のスペースは、重複要素及び下層要素に応じて、有色の形状及び特徴並びに曝露された虹彩を含む、形状を作り出す。デザイングラフィック１７００の中央部１７１０は、領域のこの部分が瞳孔に対応するため、透明であってもよい。しかしながら、この中央部１７１０に色合いを用いてもよい点に留意することは重要である。加えて、色合いは、要素間のスペースにおいて用いられてもよい。
【００７０】
この例示的な実施形態では、角膜縁デザイングラフィック１７００全体は、茶色酸化鉄及び黒色酸化鉄顔料を、茶色から黒色ファミリーの色を作り出す比率で含む組成から形成された、半透明の暗い茶色である。角膜縁デザイングラフィックは半透明であるが、他の例示的な実施形態では、それは、不透明要素並びに／又は不透明及び半透明要素の組み合わせを含んでもよい。この角膜縁デザイングラフィック１７００は、後に詳細に記載される技法を用いて印刷され、それは最初に印刷される。言い換えると、それはレンズに組み込まれる全体デザインの第１のグラフィックデザインである。印刷の順序は、後により詳細に記載されるように、全体デザインに影響する。
【００７１】
図１７Ｂは、本発明による外部効果デザイングラフィック１７２０の第４の例示的な実施形態を図示する。内部及び外部効果グラフィックの印刷の順序は、最初の２つの例示的な実施形態に対して、この例示的な実施形態において変更される点に留意することは重要である。この例示的な実施形態では、外部効果デザイングラフィック１７２０は、幅約０．８９ｍｍの半透明環状帯１７２２を含む。半透明環状帯１７２２の最も内側の境界１７２４に接続し、そこから延びるのは、複数の長い、中間長の、及び短い実質的に三角形の構造１７２６である。実質的に三角形の構造のうちの幾つかは、尖端で互いに接し、包囲されたスペース１７２８を形成する。外部効果デザイングラフィック１７２０はまた、半透明環状帯１７２２に接続していない複数の線１７３０を含み、実質的に三角形の構造間に散在され、同じ方向に、すなわち、外部効果デザイングラフィック１７２０の幾何学中心に向かって配向される。実質的に三角形の構造又は突出部１７２６のうちの幾つかは、分枝１７３２を有し、線１７３０のうちの幾つかは、分枝１７３４を有する。これらの構造の全ては、虹彩内の生来の構造、例えば、瞳孔筋構造、折畳み又は放射溝、窩、毛様体などのように見えるように設計される。環状帯１７２２の外縁は、半透明環状帯１７２２の外観をより不明確な構造に変えるくし様構造１７３６を備える。くし様構造１７３６は、他の層からの半透明色を重ねることによって作り出された重複する線を軟化して溶け込ませることを意図される。外部効果デザイングラフィック１７２０は、角膜縁グラフィック１７００の半透明環状帯１７０２とに重なり、強調するように設計される。加えて、外部効果デザイングラフィック１７２０は、重複する区分を有するような方法で角膜縁デザイングラフィック１７００の突出構造１７０６及び１７０８に重なると同時に、突出構造１７０６と１７０８との間のネガティブスペースのうちの幾らか又は一部分を充填する。外部効果デザイングラフィック１７２０は、よりネガティブなスペースを充填し、重複する区分又はポジティブスペースは、追加の色相の領域、異なるレベルの不透明性の領域、及び任意の単層又はグラフィックから分離し、別個の異なるデザインを作り出す。加えて、重複する領域間のネガティブスペースは、生来の虹彩と連動することによって、溶け込み及び美容効果を支援する形状及びパターンを作り出す。この設計の要素間のネガティブスペースは、重複要素及び下層要素に応じて、有色の形状及び特徴並びに曝露された虹彩を含む、形状を作り出す。中央部１７３８は、レンズのこの部分が瞳孔に対応するため、透明であってもよい。しかしながら、色合いを用いてもよい点に留意することは重要である。加えて、色合いは、デザインのネガティブスペースにおいて用いられてもよい。くし様構造１７３６は、その外観を軟化することによって角膜縁デザイングラフィック１７００の環状帯１７０２の外径を変える。
【００７２】
この例示的な実施形態では、外部効果デザイングラフィック１７２０は、赤色酸化鉄、二酸化チタン、トランスオキシド黄色、黄色酸化鉄、茶色酸化鉄、及び黒色酸化鉄顔料を、茶色から黒色ファミリーの色を作り出す比率で含む組成から形成された、半透明の茶色である。外部効果デザイングラフィック１７２０及び角膜縁デザイングラフィック１７００が重複する、この例示的な実施形態では、それらは、より暗い、より明確な／不透明な領域を作り出すが、重複しないデザインの部分は、より半透明の着色を有し、不透明から透明への半透明の溶け込みを提供する。この技法は、生来の虹彩との溶け込みを可能にする。外部効果デザイングラフィック１７２０は、半透明要素を含むが、他の実施形態では、不透明要素並びに半透明及び不透明要素の組み合わせを含んでもよい。この外部効果グラフィック１７２０は、後に詳細に記載される技法を用いて印刷され、角膜縁効果グラフィック層１７００の後で２番目にその上に印刷される。印刷順序は、製造の観点からのものである。観察者の観点から、この層又はグラフィックは、角膜縁層１７００の後ろに出現する。外部効果デザイングラフィック１７２０の外径は、角膜縁デザイングラフィック１７００の外径よりも小さいが、内径は実質的に等しい。
【００７３】
図１７Ｃは、本発明による内部効果デザイングラフィック１７４０の第４の例示的な実施形態を示す。この例示的な実施形態では、内部効果デザイングラフィック１７４０は、幅約２．０３ｍｍの半透明環状帯１７４２を含む。図から容易に見ることができるように、環状帯１７４２は、この実施形態では、他の環状帯よりもはるかに幅広い。半透明環状帯１７４２の最も内側の境界１７４４に接続され、そこから延びるのは、内部効果デザイングラフィック１７４０の幾何学中心に向かって内方に延びる、複数の実質的に三角形の構造又は突出部１７４６である。これらの突出部は、虹彩内の生来の構造、例えば、瞳孔筋構造、折畳み又は放射溝、窩、毛様体などのように見えるように設計される。環状帯１７４２の外縁は、不透明な環状帯１７４２の外観をより不明確な構造に変える、硬い線が重複する領域を軟化する／溶け込ませる一貫性のない表面１７４８を含む。それは、外部効果デザイングラフィック１７２０のくし様構造１７３６よりも顕著ではない。内部効果デザイングラフィック１７４０は、角膜縁デザイングラフィック１７００及び外部効果デザイングラフィック１７２０それぞれの半透明環状帯１７０２及び１７２２に重なり、強調するように設計される。ここでも実質的に三角形の構造１７４６は、角膜縁デザイングラフィック１７００の突出部１７０６及び１７０８と、外層デザイングラフィック１７２０の要素１７２６、１７２８、及び１７３０との間のスペースに重複し、充填する。重複する半透明顔料の区分は、パターン内に追加の色相を作り出し、これは個人の下層構造に用いられる色彩並びに異なるレベルの半透明性に応じて、より暗くてもより明るくてもよい。このパターンの要素間のスペースは、重複要素及び下層要素に応じて、有色の形状及び特徴並びに曝露された虹彩を含む、形状を作り出す。内部効果グラフィック１７４０の中央部１７５０は、デザインのこの部分が瞳孔に対応するため、透明であってもよい。しかしながら、この領域又はゾーンにおいて並びにデザインのネガティブスペースにおいて、色合いが用いられてもよい点に留意することは重要である。
【００７４】
この例示的な実施形態では、内部効果デザイングラフィック１７４０は、赤色酸化鉄、フタロシアニンブルー、二酸化チタン、トランスオキシド黄色、黄色酸化鉄、茶色酸化鉄、及び黒色酸化鉄顔料を、茶色から黒色ファミリーの色を作り出す比率で含む組成から形成された、半透明の茶色である。この内部効果デザイングラフィック１７４０は、後に詳細に記載される技法を用いて印刷され、外部効果グラフィック１７２０の後で３番目に印刷される。言い換えると、内部効果グラフィック１７４０は、外部デザイングラフィック１７２０の後でその上に印刷される。印刷順序は、製造の観点からのものである。観察者の観点から、この層又はグラフィックは、他の層又はグラフィックの後ろに出現する。内部効果デザイングラフィック１７４０は、半透明要素を含むが、不透明要素並びに／又は不透明及び半透明要素の組み合わせを含んでもよい。内部効果デザイングラフィック１７４０の外径は、角膜縁デザイングラフィック１７００の外径よりも小さいが、内径は実質的に等しい。
【００７５】
図１７Ｄは、上記の順序で印刷された３つの層又はデザイングラフィック１７００、１７２０、及び１７４０全てを含む美容用コンタクトレンズ１７６０の第４の例示的な実施形態を示す。上述される前の例示的な実施形態と同様に、内部効果層及び外部効果層が切り替えられるため、印刷順序は、上述される他の２つの例示的な実施形態とは異なる点に留意することは重要である。加えて、３つのデザイングラフィックは全て、固有の角膜縁リングデザインパターンを作り出す環状帯を有する。印刷順序は、製造の観点から記載されているが、観察者が眼上のコンタクトレンズを見ているときに、視覚効果は、上述されるものとは逆の順序で層又はデザイングラフィックを見るということである。示されるように、重複する層は、異なる色、異なる色相、異なるレベルの明るさ、及び異なるレベルの暗さ、及び固有の構造を形成するパターンを含む。印刷順序又は色のいずれか両方の変化は、異なるデザインをもたらす。半透明性の変化も達成され得る。
【００７６】
３つの層によって作り出された全体デザインは、約６．４〜約６．６ｍｍの内径及び約１２．７０ｍｍ〜約１２．７７５ｍｍの範囲の外径を持つ環状構造を備える。この環状構造は、デザインの点で眼の虹彩構造と同様である。レンズの中心のオープン又はネガティブスペースは、眼の瞳孔領域又は光学ゾーンに対応し、好ましくは視覚を干渉しないように透明である。しかしながら、上記のように、この領域は着色されてもよく、デザインの要素間のネガティブスペースであってもよい。
【００７７】
図１８Ａを参照すると、本発明による角膜縁デザイングラフィック１８００の第５の例示的な実施形態が示されている。この例示的な実施形態では、角膜縁デザイングラフィック１８００は、幅約１．１５ｍｍの半透明環状帯１８０２を含む。環状帯１８０２の最も内側の境界１８０４に接続され、そこから角膜縁デザイングラフィック１８００の幾何学中心に向かって伸びるのは、複数の長い、中間長の、及び短い毛様構造１８０６である。半透明の帯１８０２に接続されていない追加の毛様構造１８０８は、他の毛様構造１８０６の間に散在される。追加の構造１８１０は、円形、正方形、三角形、及びそれらの任意の組み合わせに類似し得る、自由形態の幾何学形状である。これらの形状は、互いに接しても互いに独立してもよく、毛様構造１８０６と１８０８との間のスペースに重なり、占領し得る。これらの構造の全ては、虹彩内の生来の構造、例えば、瞳孔筋構造、折畳み又は放射溝、窩、毛様体などのように見えるように設計される。半透明環状帯１８０２は、装用者の角膜縁領域に重なり、強調するように設計されるが、突出構造１８０６、１８０８、及び１８１０は、装用者の虹彩を強調し、半透明環状帯１８０２を装用者の虹彩と溶け込ませるように設計される。毛様構造間のスペースは、重複要素及び下層要素に応じて、有色の形状及び特徴並びに曝露された虹彩を含む、形状を作り出す。デザイングラフィック１８００の中央部１８１２は、デザインのこの部分が瞳孔に対応するため、透明であってもよい。しかしながら、この中央部に色合いを用いてもよい点に留意することは重要である。加えて、色合いは、デザイン要素間のネガティブスペースにおいて用いられてもよい。
【００７８】
この例示的な実施形態では、全体角膜縁デザイングラフィック１８００は、黒色酸化鉄顔料から形成された半透明の黒色である。他の実施形態では、この角膜縁デザイングラフィックは、不透明要素並びに／又は不透明及び半透明要素の組み合わせを含んでもよい。この角膜縁デザイングラフィック１８００は、後に詳細に記載される技法を用いて印刷され、それは最初に印刷される。言い換えると、それはレンズに組み込まれる全体デザインの第１のグラフィック層である。印刷の順序は、後により詳細に記載されるように、全体デザインに影響する。
【００７９】
図１８Ｂは、本発明による内部効果デザイングラフィック１８２０の第５の例示的な実施形態を示す。内部効果グラフィック１８２０は、概して内部効果グラフィック１８２０の幾何学中心に向かって配向された、相互接続していない、長い、中間長、及び短い点線／破線１８２２の環状帯を含む。全体効果は、虹彩内の生来の構造、例えば、瞳孔筋構造、折畳み又は放射溝、窩、毛様体などのように見えるように設計される。この例示的な実施形態では、内部効果デザイングラフィック１８２０は、生来の虹彩の放射溝又は毛様ゾーンにおいて見出され得る誘導線で仄めかしながら、半透明性及び／又は色彩を所与の領域内で保持する、微妙な強調を提供するように機能する。この微妙な強調もまた、小さなピンポイントのハイライトを付与するように機能する。内部効果デザイングラフィック１８２０は、装用者の虹彩に重なり、強調するように設計され、角膜縁デザイングラフィック１８００の半透明環状帯１８０２と少なくとも部分的に重複する。加えて、内部効果デザイングラフィック１８２０は、重複する不透明区分を有するような方法で角膜縁デザイングラフィック１８００の突出構造１８０６、１８０８、及び１８１０に重なると同時に、突出構造１８０６、１８０８、及び１８１０の間のネガティブスペースのうちの幾らか又は一部分を充填する。重複するこれらの区分は、個人の下層構造とは異なる色並びに異なるレベルの半透明性となる。加えて、重複する領域は、下層の個人の構造に用いられる色に応じてより暗くても明るくてもよい。このパターンの要素間のスペースは、重複要素及び下層要素に応じて、有色の形状及び特徴並びに曝露された虹彩を含む、形状を作り出す。デザイングラフィック１８２０の中央部１８２４は、デザインのこの部分が瞳孔に対応するため、透明であってもよい。しかしながら、この領域において並びにデザイン要素間のネガティブスペースにおいて、色合いが用いられてもよい点に留意することは重要である。
【００８０】
この例示的な実施形態では、内部効果デザイングラフィック１８２０全体は、赤色酸化鉄、トランスオキシド黄色、黄色酸化鉄、茶色酸化鉄、及びトランスオキシド顔料を、橙色ファミリーの色を作り出す比率で組成から形成された、透明の橙色である。橙色ファミリーは、黄色及び金色を含む。これらの色又はこのファミリーの色は、茶色又は暗い眼を持つ個人の下層の生来の虹彩の色を強調することを意図される。明るい眼を持つ個人には、異なる色が用いられるであろう。内部効果デザイングラフィック１８２０は、代替の実施形態において、不透明要素及び／又は不透明及び半透明要素の組み合わせを含んでもよい。この内部効果グラフィック１８２０は、後に詳細に記載される技法を用いて印刷され、角膜縁グラフィック１８００の後で２番目に印刷される。言い換えると、内部効果グラフィック１８２０は、角膜縁デザイングラフィック１８００の後でその上に印刷される。この印刷順序は、製造の観点からのものである。観察者の観点から、この層は、グラフィック１８００の後ろに出現する。内部効果デザイングラフィック１８２０の外径は、角膜縁デザイングラフィック１８００の外径よりも小さいが、内径は実質的に等しい。
【００８１】
図１８Ｃは、本発明による外部効果デザイングラフィック１８４０の第５の例示的な実施形態を示す。この例示的な実施形態では、外部効果デザイングラフィック１８４０は、幅約１．４４ｍｍの半透明環状帯１８４２を含む。半透明環状帯１８４２の最も内側の境界１８４４に接続し、そこから延びるのは、複数の長い、中間長の、及び短い実質的に三角形の構造１８４６である。実質的に三角形の構造のうちの幾つかは、尖端で互いに接し、包囲されたスペース１８４８を形成する。外部効果デザイングラフィック１８４０はまた、半透明環状帯１８４２に接続していない複数の線１８５０を含み、実質的に三角形の構造間に散在され、同じ方向に、すなわち、外部効果デザイングラフィック１８４０の幾何学中心に向かって配向される。これらの構造は、虹彩内の生来の構造、例えば、瞳孔筋構造、折畳み又は放射溝、窩、毛様体などのように見えるように設計される。環状帯１８４２の外縁は、半透明環状帯１８４２の外観をより不明確な構造に変えるくし様構造１８５２を備える。くし様構造１８５２は、３つの層からの半透明色を重ねることによって作り出された重複する線を軟化して溶け込ませることを意図される。外部効果デザイングラフィック１８４０は、角膜縁デザイングラフィック１８００の半透明環状帯１８０２、並びに内部効果デザイングラフィック１８２０全体及び角膜縁デザイングラフィック１８００の突出構造１８０６、１８０８、及び１８１０に重なり、強調するように設計される。外層デザイングラフィック１８４０は、よりネガティブなスペースを充填し、重複する区分又はポジティブスペースは、追加の色相、異なるレベルの不透明性の領域を作り出し、異なる設計は、いかなる単層からも分離し、別個である。加えて、重複する領域間のネガティブスペースは、生来の虹彩と連動することによって、溶け込み及び美容効果に役立つ形状及びパターンを作り出す。この設計の要素間のネガティブスペースは、重複要素及び下層要素に応じて、有色の形状及び特徴並びに曝露された虹彩を含む、形状を作り出す。中央部１８５４は、レンズのこの部分が瞳孔に対応するため、透明であってもよい。しかしながら、色合いを用いてもよい点に留意することは重要である。くし様構造１８５２は、角膜縁デザイングラフィック１８００の硬い線を崩す形状を作り出すことによって、角膜縁デザイングラフィックの半透明環状帯１８０２の外径を変える。
【００８２】
この例示的な実施形態では、外部効果デザイングラフィック１８４０全体は、赤色酸化鉄、二酸化チタン、トランスオキシド黄色、黄色酸化鉄、茶色酸化鉄、及び黒色酸化鉄顔料を、茶色から黒色の色彩を作り出す比率で含む組成から形成された、半透明の茶色である。外部効果デザイングラフィック１８４０及び角膜縁デザイングラフィック１８００が重複する、この例示的な実施形態では、それらは、より暗い、より明確な／不透明な領域を作り出すが、重複しないデザインの部分は、より半透明の着色を残し、不透明から透明への溶け込みを提供する。この技法は、生来の虹彩との溶け込みを可能にする。外部効果グラフィック１８４０は、後に詳細に記載される技法を用いて印刷され、内部効果グラフィック層１８２０の後で３番目にその上に印刷される。印刷順序は、製造の観点からのものである。観察者の観点から、この層は、内部効果デザイングラフィック１８２０の後ろに出現する。外部効果デザイングラフィック１８４０の外径は、角膜縁デザイングラフィック１８００の外径よりも小さいが、内径は実質的に等しい。
【００８３】
図１８Ｄは、上記の順序で印刷された全ての３つの層又はデザイングラフィック１８００、１８２０、及び１８４０を含む美容用コンタクトレンズ１８６０の第５の例示的な実施形態を図示する。ここでも印刷の順序は、最初の２つの例示的な実施形態の場合と同様に、角膜縁、内部効果、及び外部効果グラフィックに戻る。印刷順序は、製造の観点から記載されているが、観察者が眼上のコンタクトレンズを見ているときに、視覚効果は、印刷に関して記載されるものとは逆の順序で層又はデザイングラフィックを見るということである。示されるように、重複する層は、異なる色、色相、明るさ、暗さ、及び固有の構造を形成するパターンを含む。印刷順序又は色のいずれか又は両方の変化は、後に詳細に記載されるように、異なるデザインをもたらす。半透明性の変化も達成され得る。
【００８４】
３つの層によって作り出された全体デザインは、約６．７ｍｍ〜約７．１ｍｍの内径及び約１２．６７５ｍｍ〜約１２．７５０ｍｍの範囲の外径を持つ環状構造を備える。この環状構造は、デザインの点で眼の虹彩構造と同様である。レンズの中心のオープン又はネガティブスペースは、眼の瞳孔領域又は光学ゾーンに対応し、好ましくは視覚を干渉しないように透明である。しかしながら、この領域において並びにデザイン要素間のネガティブスペースにおいて、色合いが用いられてもよい。
【００８５】
上述される例示的な実施形態は、多層デザインを含むコンタクトレンズに関し、これは、コンタクトレンズが位置付けられる眼の外観を、自然な見た目を維持しながら強調及び／又はハイライトするために用いられてもよい。これらの例示的なデザインは、それぞれ３つの層、すなわち、固有の角膜縁デザイングラフィック、固有の内部効果グラフィック、及び固有の外部効果グラフィックを含む。これらの層は、任意の数のデザイン要素及びデザイン原理を用いて形成されてもよい。例えば、ラインを用いて形状を明確化し、生来の虹彩において見出されるライン構造、形状、及び輪郭に似せるか、又は模倣する輪郭を作り出すことができる。異なるレベルの半透明性又は不透明性を持つ色及び色調の値を用いて、溶け込み及びコントラストをなすことができる一方、異なる色及び色調を用いて、ハイライト及び陰影を形成することにより、奥行を示唆することができる。スペースを用いて組成を決定することができ、例えば、ポジティブスペースを用いて効果を明確化し、示唆することができる一方、ネガティブスペースを用いて、生来の虹彩が全体パターンの効果に寄与するのを可能にすることができる。重複する層の透視を用いて、所与のパターン内の奥行を示唆し、明示することができる。テクスチャを用いて、虹彩の変化を作り出すことができる。二次元アートで使用されるように、テクスチャは、明暗の使用によって作り出される。明暗要素を用いて、奥行及び形態を示唆してもよい。
【００８６】
上記のように、本発明は、３つの別個の層を用いて、全体パターンの更なる奥行及び多様性を提供する。角膜縁デザイングラフィックは、虹彩の外径を包囲する全体パターンの部分であり、強膜に最も近く、眼の角膜縁領域をハイライト、強調、及び／又は明確化することを意図されるが、それはまた、虹彩中へと延びる要素も含む。内部効果グラフィック層は、虹彩を強調することを意図される全体パターンの部分であるが、眼の角膜縁領域をハイライト、強調、及び／又は明確化することにも寄与する部分を含んでもよい。外部効果グラフィック層は、虹彩を強調することを意図される全体パターンの部分であるが、眼の角膜縁領域をハイライト、強調、及び／又は明確化することにも寄与する部分を含んでもよい。本発明の多層アプローチを用いて、重複する及び重複しない半透明層を用いて異なるレベルの半透明性及び／又は不透明性を作り出すことができる。
【００８７】
上述される例示的な実施形態は、美容用コンタクトレンズに用いられ得るさまざまなデザイン特徴を図示するが、要素／特徴のさまざまな組み合わせ及び福次組み合わせが新しいデザインを作り出すように用いられてもよい点に留意することは重要である。印刷順序の変化は、全体デザインに影響し得る。少なくとも１つの層における任意の単一色の変化は、全体デザインに影響し得る。任意の単一層におけるデザインの変化は、全体デザインに影響し得、任意の単一層における特徴のうちのいずれかの変化も全体デザインに影響し得る。任意のデザインの大きさ及び／又は層間の重複の程度の変化は、全体デザインに影響し得る。任意の単一層又は各層におけるネガティブスペース／ポジティブスペースの量の変化は、全体デザインに影響し得る。これらの層のうちのいずれか又は全ての半透明性の変化は、全体デザインに影響し得る。加えて、追加の層も全体デザインに影響し得る。上記の例示的な実施形態は、本明細書に記載されるさまざまなデザイン要素を用いて達成され得る、異なるデザインを示している。
【００８８】
明細書を通して多くの用語が用いられているが、本明細書に記載される全てのデザインは、装用者の眼の外観を強調することを意図される。したがって、本明細書で使用される用語「強調する」は、引き立たせる、ハイライトする、明確化する、境界を明確化する、向上させる、強化する、増幅させる、拡大する、強める及び／又は装用者の眼の外観を美容的に変える任意の行為を含むものとする。
【００８９】
本明細書に記載され、本発明に関連する色配合の全ては、顔料に関して一般に記載され、特定の色として一般に分類される点に留意することは重要である。任意の好適な色が本発明を実施する際に用いられてもよい点に留意することは重要である。
【００９０】
美容用コンタクトレンズの異なる領域に対するデザイン／パターン／色彩は、市場調査に基づいて開発される。次いでこれらのパターンを、一般にクリシェと称される金属構造にエッチングする。より具体的には、好ましくは鋼、より好ましくはステンレス鋼でできた金属プレートが、硬化後に水不溶性となることが可能なフォトレジスト材料で覆われる。パターンが選択されるか又は設計され、次いで写真技術などの多くの技術のいずれかを用いて所望のサイズに縮小され、金属プレート上に置かれ、フォトレジスト材料が硬化される。その後に金属プレート又はクリシェが水溶液で洗浄され、結果として得られた像又はパターンが、好適な深さ、例えば、約２０ミクロンまでプレートの中にエッチングされる。クリシェが製作された後、多工程プロセスを用いて下記のように美容用コンタクトレンズを製造する。
【００９１】
図１９は、その製造プロセスに使用するパッド印刷プロセスの概要を示す。プロセスの第１工程１９０２で、所望の着色剤でクリシェの窪みを充填（filing）する。クリシェ１９０１は、特定のパターンがその中にエッチングされた多くのクリシェの窪み１９０３を含む。プロセスの第２工程１９０４は、クリシェ１９０１の表面からの余分なインク又は着色剤の除去を必要とする。余分なインクは、通常、カップ１９０５上のドクタリングブレードを用いてクリシェ１９０１の表面から取り除かれる。プロセスの第３工程１９０６で、クリシェ１９０１上の着色剤を乾燥する。プロセスの第４工程１９０８で、クリシェ１９０１内の着色剤をパッドに取り上げる。プロセスの第５工程１９１０で、着色剤を乾燥する、又は、パッドの上で乾燥させる。プロセスの第６工程１９１２で、着色剤をパッドから前側曲面に移し、以下に説明する追加の加工を行う。プロセスの第７工程１９１４で、着色剤を乾燥する、又は、前側曲面鋳型半体の前側曲面上で乾燥させる。次いで、残り２つの効果層に対してこのプロセスを繰り返す。
【００９２】
図２０は、より詳細なプロセスの説明を提供する。第１工程２００２で、コンタクトレンズの印刷されていない前側曲面鋳型を提供する。第２工程２００４で、透明なベース、すなわち顔料又は染料のないものが、前側曲面に適用される。透明なベースは、下でより詳細に記載されるように用いられるレンズ材料に依存する。第３工程２００６で、溶媒、透明なベース、及び顔料を含むインクが、透明なベース印刷された前側曲面に適用される。ここでもこれが繰り返され、その結果、全ての３つの層が透明なベース印刷されたベースカーブに適用される。第４工程２００８で、次に印刷された前側曲面を、反応性モノマー混合物と、例えば、エタフィルコン−Ａともに投与する。プロセスの第５工程２０１０で、コンタクトレンズの後側曲面鋳型を前側曲面鋳型上に位置付け、７０℃に温度を維持しながら２分間そこにそのまま維持する。プロセスの第６工程２０１２で、前側と後側の曲面の間の反応性モノマー混合物を可視光に曝露して硬化する。この硬化工程は、７０℃の温度で４分間、５ｍＷの可視光を用いる。プロセスの第７工程２０１４で、鋳型からのコンタクトレンズを８００ｐｐｍのＴｗｅｅｎ  ８０と脱イオン水の７０℃の溶液中にて１時間、更に４５℃の脱イオン水にて１時間、水和する。プロセスの第８工程２０１６で、コンタクトレンズはその独自のパッケージ内で食塩水にて、１２４℃の温度で１８分間蒸気滅菌される。上述したプロセスは説明の容易さのために簡略化されていることに注意することが重要である。
【００９３】
上記のように、レンズ形成材料は、エタフィルコンＡを含む。エタフィルコンＡは、コンタクトレンズを製造するための周知の特許材料である。エタフィルコンＡは、２−ヒドロキシエタルメタクリレートと、１，１，１−トリメチオールプロポープトリメタクリレート及びエチレングリコールジメタクリレートと架橋されたメタクリル酸とのコポリマーである。エタフィルコンＡは、Ｊｏｈｎｓｏｎ  ＆  Ｊｏｈｎｓｏｎ  Ｖｉｓｉｏｎ  Ｃａｒｅ，Ｉｎｃ．の部門であるＶＩＳＴＡＫＯＮ（登録商標）から入手可能な多くのコンタクトレンズに用いられている。エタフィルコンＡは、本明細書に記載される例示的な実施形態において用いられるが、任意の好適なレンズ形成材料が用いられてもよい点に留意することは重要である。エタフィルコンＡの場合、好ましい結合ポリマーは、ＨＥＭＡ及びＭＡＡのランダムブロックコポリマー又はＨＥＭＡのホモポリマーである。結合ポリマーの総重量に基づく、これらの実施形態における、それぞれの成分の重量パーセントは、約９３〜約１００重量パーセントのＨＥＭＡ、及び約０〜約２重量パーセントのＭＡＡである。
【００９４】
上述されるプロセス又は同様のプロセスを用いて、顔料は透明なベース及びレンズを形成するバルク材料内に封入される。言い換えると、全ての有色の層は、レンズ材料内に封入され、眼に接触することはない。
【００９５】
図示及び説明されたものは、最も実用的かつ好ましい実施形態であると考えられるが、説明及び図示した特定の設計及び方法からの変更がそれ自体当業者にとって自明であり、本発明の趣旨及び範囲から逸脱することなく使用できることは明らかであろう。本発明は、説明及び図示される特定の構造に限定されるものではないが、付属の特許請求の範囲に含まれ得る全ての改変例と一貫性を有するものとして解釈されるべきである。
【００９６】
〔実施の態様〕
（１）  眼強調コンタクトレンズであって、
透明なベース材料と、
前記透明なベース材料の少なくとも一部分上に置かれた第１のデザイングラフィックと、
前記第１のデザイングラフィックの少なくとも一部分上、及び前記透明なベース材料の少なくとも一部分上に置かれた第２のデザイングラフィックと、
前記第２のデザイングラフィックの少なくとも一部分上、前記第１のデザイングラフィックの少なくとも一部分上、及び前記透明なベース材料の少なくとも一部分上に置かれた第３のデザイングラフィックと、
バルクレンズ材料と、を含み、前記第１、第２、及び第３のデザイングラフィックが、前記バルクレンズ材料及び前記透明なベース材料内に封入されている、眼強調コンタクトレンズ。
（２）  前記第１、第２、及び第３のデザイングラフィックのうちの少なくとも１つが、装用者の眼の虹彩の外径を包囲し、装用者の眼の角膜縁領域を強調するように構成されている、第１のパターンを含む、実施態様１に記載の眼強調コンタクトレンズ。
（３）  前記第１のパターンが、装用者の虹彩に対応する領域中へと延びる部分を含む、実施態様２に記載の眼強調コンタクトレンズ。
（４）  装用者の虹彩に対応する領域中へと延びる前記部分が、前記装用者の虹彩を強調するように構成されている、実施態様３に記載の眼強調コンタクトレンズ。
（５）  前記第１、第２、及び第３のデザイングラフィックのうちの少なくとも１つが、装用者の眼の虹彩領域を強調するように構成された第２のパターンを含む、実施態様１に記載の眼強調コンタクトレンズ。
【００９７】
（６）  前記第２のパターンが、装用者の角膜縁領域に対応する領域中へと延びる部分を含む、実施態様５に記載の眼強調コンタクトレンズ。
（７）  装用者の角膜縁領域に対応する領域中へと延びる前記部分が、装用者の角膜縁領域を強調するように構成されている、実施態様６に記載の眼強調コンタクトレンズ。
（８）  前記第１、第２、及び第３のデザイングラフィックのうちの少なくとも１つが、装用者の眼の虹彩領域を強調するように構成された第３のパターンを含む、実施態様１に記載の眼強調コンタクトレンズ。
（９）  前記第３のパターンが、装用者の角膜縁領域に対応する領域中へと延びる部分を含む、実施態様８に記載の眼強調コンタクトレンズ。
（１０）  装用者の角膜縁領域に対応する領域中へと延びる前記部分が、装用者の角膜縁領域を強調するように構成されている、実施態様９に記載の眼強調コンタクトレンズ。
【００９８】
（１１）  前記第１、第２、及び第３のデザイングラフィックのうちの少なくとも１つが、半透明である、実施態様１に記載の眼強調コンタクトレンズ。
（１２）  前記第１、第２、及び第３のデザイングラフィックが、実質的に環状の配置を形成するように位置付けられている、実施態様１１に記載の眼強調コンタクトレンズ。
（１３）  前記実質的に環状の配置が、前記第１、第２、及び第３のデザイングラフィックの間の重複の程度に基づいた、さまざまな程度の半透明性を含む、実施態様１２に記載の眼強調コンタクトレンズ。
（１４）  眼強調コンタクトレンズであって、
光学ゾーンと、
前記光学ゾーンを包囲する、周辺ゾーンと、
透明なベース層上に置かれた第１のデザイングラフィック、前記第１のデザイングラフィックの少なくとも一部分上及び前記透明なベース層の少なくとも一部分上に置かれた第２のデザイングラフィック、並びに前記第２のデザイングラフィックの少なくとも一部分上、前記第１のデザイングラフィックの少なくとも一部分上、及び前記透明なベース層の少なくとも一部分上に置かれた第３のデザイングラフィックから形成された、実質的に環状のデザイン配置であって、前記周辺ゾーン内に位置付けられている、実質的に環状のデザイン配置と、を含み、前記第１、第２、及び第３のデザイングラフィックが、バルクレンズ材料及び前記透明なベース層内に封入される、眼強調コンタクトレンズ。
【図１】
0006755693.tif 000002
【図２】
0006755693.tif 000003
【図３】
0006755693.tif 000004
【図４】
0006755693.tif 000005
【図５】
0006755693.tif 000006
【図６】
0006755693.tif 000007
【図７】
0006755693.tif 000008
【図８】
0006755693.tif 000009
【図９】
0006755693.tif 000010
【図１０】
0006755693.tif 000011
【図１１】
0006755693.tif 000012
【図１２】
0006755693.tif 000013
【図１３】
0006755693.tif 000014
【図１４Ａ】
0006755693.tif 000015
【図１４Ｂ】
0006755693.tif 000016
【図１４Ｃ】
0006755693.tif 000017
【図１４Ｄ】
0006755693.tif 000018
【図１５Ａ】
0006755693.tif 000019
【図１５Ｂ】
0006755693.tif 000020
【図１５Ｃ】
0006755693.tif 000021
【図１５Ｄ】
0006755693.tif 000022
【図１６Ａ】
0006755693.tif 000023
【図１６Ｂ】
0006755693.tif 000024
【図１６Ｃ】
0006755693.tif 000025
【図１６Ｄ】
0006755693.tif 000026
【図１７Ａ】
0006755693.tif 000027
【図１７Ｂ】
0006755693.tif 000028
【図１７Ｃ】
0006755693.tif 000029
【図１７Ｄ】
0006755693.tif 000030
【図１８Ａ】
0006755693.tif 000031
【図１８Ｂ】
0006755693.tif 000032
【図１８Ｃ】
0006755693.tif 000033
【図１８Ｄ】
0006755693.tif 000034
【図１９】
0006755693.tif 000035
【図２０】
0006755693.tif 000036